(57)【要約】  当発明は、一種類の多枚組合型昇降式スラットを公開して、それには主スラットと昇降式スラットを含んでおり、昇降式スラットは、幅方向に沿う横断面の形状が主スラットが幅方向に沿う横断面の形状と同じで、昇降式スラットが主スラットの上表面または下表面に緊密に貼っており、昇降式スラットは、昇降機関の駆動のもとで主スラットにも従って一緒に昇降でき、主スラットにも対応して昇降運動を行うことができる。上記に述べたような昇降式スラットに2枚があって、2枚の昇降式スラットが順次に主スラットの上表面または下表面に緊密的に貼っている。当発明は、横断面が任意の形状とする多枚組合型昇降式スラットから構成した各種のスラットによる日よけ、光線導入システムは、みな季節の変換と人々の具体的需要によって直射日光に対する回復反射と偏向導入量の最適化制御に達することができるので、夏と冬に日光に対する需要対立の解決を得させた同時に、高太陽高度角でも、低太陽高度角でも、そのシステムはとても高い透視率を維持して、人々が窓外景色との視覚交流の需要を満足できる。
2013525641.tif 000002
【特許請求の範囲】
【請求項１】
一種類の多枚組合型昇降式スラットである。その特徴は、次のようになる。それには、主スラット（1）と昇降式スラット（2）を含んでおり、昇降式スラット（2）は、幅方向に沿う横断面の形状と主スラット（1）が幅方向に沿う横断面の形状が同じである。昇降式スラット（1）は、主スラット（1）の上表面または下表面に緊密的に貼っており、昇降式スラット（2）は、昇降機関の駆動のもとで主スラット（1）にも従って一緒に昇降でき、主スラット（1）にも相応して昇降運動を行うことができる。
【請求項２】
請求項1に述べたような一種類の多枚組合型昇降式スラットは、その特徴が次のようになる。上記に述べたような昇降式スラット（2）に２枚があって、2枚の昇降式スラット（2、3）が順次に主スラット（1）の上表面または下表面に緊密に貼っている。
【請求項３】
請求項1または2に述べたような一種類の多枚組合型昇降式スラットは、その特徴が次のようになる。上記に述べたような主スラット（1）の上表面の部分または全部にマイクロギヤーを設置している。
【請求項４】
請求項1または2に述べたような一種類の多枚組合型昇降式スラットは、その特徴が次のようになる。上記に述べたような昇降式スラットの上表面の部分または全部にマイクロギヤーを設置している。
【請求項５】
請求項1または2に述べたような一種類の多枚組合型昇降式スラットは、その特徴が次のようになる。上記に述べたような多枚組合型昇降式スラットに日よけ用スラット（4）も設置しており、日よけ用スラット（4）がスライドさせるように主スラット（1）の下表面に取り付けており、そして主スラット（1）の下表面に収まって、冬、夏の低太陽高度角の時、日よけ用スラット（4）が下向け展開されて、一部の直射日光を室外までに阻止したり回復反射することができる。
【請求項６】
請求項1または2に述べたような一種類の多枚組合型昇降式スラットは、その特徴が次のようになる。上記に述べたような多枚組合型昇降式スラットに日よけ用カーテンも設置しており、日よけ用カーテンがスライドさせるように主スラットの外側に取り付けられており、その巻軸が水平的に、または垂直的に取り付けられることができ、そして窓枠の内に収まることができる。
【請求項７】
請求項6に述べたような一種類の多枚組合型昇降式スラットは、その特徴が次のようになる。上記に述べたような日よけ用カーテンが透かし彫り部分と透かし彫りでない部分に分けられてある。
透かし彫り部分の配置高度がスラットのピッチDの1/2〜2/3を占めており、その中にそのピッチDが隣り合っている二つの主スラットの内端点（c）の間隔であり、冬と夏の低太陽高度角の時、日よけ用カーテンが展開されて、一部の直射日光を室外までに阻止したり回復反射する。
【請求項８】
請求項4に述べたような一種類の多枚組合型昇降式スラット
は、その特徴が次のようになる。上記に述べたような昇降式スラットの上表面マイクロギヤーが異なるタイプのマイクロギヤーより構成したものとする。
【請求項９】
請求項1または2に述べたような一種類の多枚組合型昇降
式スラットは、その特徴が次のようになる。上記に述べたような主スラット（1）は、幅方向に沿う横断面がV形または一字形またはアーチ形または波浪形とする。
【請求項１０】
請求項1または2に述べたような一種類の多枚組合型昇降
式スラットは、その特徴が次のようになる。上記に述べたような主スラット（1）と昇降式スラットは、みな回転できるスラットとする。
【請求項１１】
請求項1または2に述べたような一種類の多枚組合型昇降
式スラットは、その特徴が次のようになる。上記に述べたような主スラット（1）は、折り畳み式スラットとする。
【請求項１２】
請求項1または2に述べたような一種類の多枚組合型昇降式スラットは、その特徴が次のようになる。上記に述べたような主スラット（1）は、鋸歯形スラットとする。
【請求項１３】
請求項1または2に述べたような一種類の多枚組合型昇降式スラットは、その特徴が次のようになる。上記に述べたような隣り合っている二枚の主スラット（1）のピッチDと主スラットの幅Lの比が0.7とし、その中にピッチDは、隣り合っている二つの主スラットの内端点（c）の間隔とする。
【請求項１４】
請求項3に述べたような一種類の多枚組合型昇降式スラットは、その特徴が次のようになる。上記に述べたようなマイクロギヤーが回復反射歯とし、互いに垂直の二つの隣り合っている第一歯面（6）と第二歯面（5）を含んでおり、直射日光に対して回復反射の効果を起きる回復反射歯の第二歯面（5）と水平面の夾角αＨとの変化範囲は、９０°−（βia’＋Ｈ）／２≦αＨ≦９０°−（βia＋Ｈ）／２
で確定できて、その中にHは太陽高度角とし、βia’はスラットの上表面にある任意の点iとその前の隣り合っているスラットの下表面の外端点（α’）の接続線とスラットの外側水平面の夾角とし、βiaはスラットの上表面にある任意の点（i）とスラットの上表面の外端点（α）の接続線とスラットの外側水平面の夾角とする。
【請求項１５】
請求項4に述べたような一種類の多枚組合型昇降式スラットは、その特徴が次のようになる。上記に述べたようなマイクロギヤーは順歯または逆歯とし、互いに垂直の二つの隣り合っている第一歯面（6）と第二歯面（5）を含んでおり、直射日光に対して偏向導入の効果を起きたる順歯または逆歯の第二歯面（5）と水平面の夾角αＨの変化範囲は、（βic−Ｈ）／2≦αＨ≦（βic’−Ｈ）／2で確定できて、その中にHは太陽高度角とし、βicはスラットの上表面にある任意の点(i)とスラットの上表面の内端点(c)の接続線とスラットの内側水平面の夾角とし、βic’はスラットの上表面にある任意の点(i)とその前の隣り合っているスラットの下表面の内端点(c’)の接続線とスラットの内側水平面の夾角とする。
【請求項１６】
請求項14に述べたような一種類の多枚組合型昇降式スラットは、その特徴が次のようになる。上記に述べたような主スラット(1)の上表面の回復反射歯、第二歯面(5)と水平面の夾角がαＨ＝９０°-（βia’＋Ｈ）／２とし、その中にＨ＝βca’、βca’はスラットの上表面の内端点(c)とその前の隣り合っているスラットの下表面の外端点(α’)の接続線とスラットの外側水平面の夾角とする。
【請求項１７】
請求項15に述べたような一種類の多枚組合型昇降式スラットは、その特徴が次のようになる。上記に述べたような室内地面より1.8m以上の昇降式スラットの上表面の外側部分（Ｓ31）に逆歯を設置して、その第二歯面(5)と水平面の夾角がαＨ＝（βix−Ｈ）／２とし、しかもβic’−Ｈ）／2≦αＨ≦（βic’−Ｈ）／2とし、その中にＨ＝45°で、βixはスラットの上表面にある任意の点iの反射光線とスラットの内側水平面の夾角とし、内側部分（Ｓ32）は平滑面とする。
【請求項１８】
請求項17に述べたような一種類の多枚組合型昇降式スラットは、その特徴が次のようになる。上記に述べたような隣り合っている二枚の主スラットのピッチDと主スラットの幅Lの比が0.7とし、その中にそのピッチDは隣り合っている二つの主スラットの上表面の内端点（c）の間隔で、上記に述べたような室内地面より1.8m以上の昇降式スラットの上表面の外側部分の逆歯の水平幅がＬ1＝0〜Ｌで、その中にＬが主スラットの幅とする。
【請求項１９】
請求項4に述べたような一種類の多枚組合型昇降式スラットは、その特徴が次のようになる。上記に述べたような室内地面より1.8m以下の昇降式スラットの上表面の外側部分（Ｓ41）に回復反射歯を設置して、その内側部分（Ｓ42）に順歯を設置する。
【請求項２０】
請求項19に述べたような一種類の多枚組合型昇降式スラットは、その特徴が次のようになる。上記に述べたような室内地面より1.8m以下の昇降式スラットの上表面の外側部分（Ｓ41）の回復反射歯は、互いに垂直の二つ隣り合っている第一歯面（6）と第二歯面（5）を含む。その第二歯面(5)と水平面の夾角がαＨ＝９０°-（βif＋Ｈ）／２、その中にＨ＝βcf、内側部分（Ｓ42）の順歯の第二歯面(5)と水平面の夾角がαＨ＝（βic’-Ｈ）／２で、その中に、Ｈ＝βca’で、βifはスラットの上表面にある任意の点(i)と日よけ用スラットが完全に展開された後の自由端fの接続線とスラットの外側水平面の夾角とし、βcfは昇降式スラットが二枚の主スラットの中央位置に降ろした時、主スラットの上表面の内端点(c)と昇降式スラットの下表面の外端点(f)の接続線とスラットの外側水平面の夾角またはスラットの上表面の中端点(c)と日よけ用スラットが完全に展開された後の自由端(f)の接続線とスラットの外側水平面の夾角とし、βca’はスラットの上表面にある任意の点（i）とその前の隣り合っているスラットの下表面の内端点（c’）の接続線とスラットの内側水平面の夾角とし、βca’はスラットの上表面の内端点（c）とその前の隣り合っているスラットの下表面の外端点（a’）の接続線とスラットの外側水平面の夾角とする。
【請求項２１】
請求項20に述べたような一種類の多枚組合型昇降式スラットは、その特徴が次のようになる。上記に述べたような隣り合っている二枚の主スラットのピッチDと主スラットの幅Lの比が0.7とし、その中にそのピッチDは隣り合っている二枚の主スラットの内端点（c）の間隔とし、上記に述べたような室内地面より1.8m以下の昇降式スラットの上表面の内側部分の順歯の水平幅がＬ2＝Ｌ/3とし、その中にＬが主スラットの幅とする。
【請求項２２】
請求項10に述べたような一種類の多枚組合型昇降式スラットは、その特徴が次のようになる。上記に述べたような回転できる2枚組合型昇降式スラットが室内地面より1.8m以下の昇降式スラットの上表面の外側部分（Ｓ41）に回復反射歯を設置して、互いに垂直にする二つの隣り合っている第一歯面(6)と第二歯面(5)、直射日光に対して回復反射の効果を起きた回復反射歯の第二歯面(5)と水平面の夾角αＨ＝９０°-（βia’＋Ｈ）／２を含む。その中に、Ｈ＝βca’で、βca’はスラットの上表面にある任意の点(i)とその前の隣り合っているスラットの下表面の外端点(a’)の接続線とスラットの外側水平面の夾角とし、βca’はスラットの上表面の内端点（c）とその前の隣り合っているスラットの下表面の外端点（a’）の接続線とスラットの外側水平面の夾角とし、内側部分（Ｓ42）に順歯が設置しており、互いに垂直にする二つの隣り合っている第一歯面（6）と第二歯面（5）を含む。スラットを逆時計方向にβca’/2角度を回した後、その第二歯面（5）と水平面の夾角がαＨ＝（βic-Ｈ）／２とし、その中にＨ＝βcf、βic’はスラットの上表面にある任意の点（i）とその前の隣り合っているスラットの下表面の内端点（c’）の接続線とスラットの内側水平面の夾角とする。βcfはスラットの上表面の内端点（c）と日よけ用スラットが完全に展開された後の自由端（f）の接続線とスラットの外側水平面の夾角とする。
【請求項２３】
請求項22に述べたような一種類の多枚組合型昇降式スラットは、その特徴が次のようになる。上記に述べたような隣り合っている二枚の主スラットのピッチDと主スラットの幅Lの比が0.7とし、その中にピッチDは隣り合っている二枚の主スラットの内端点cの間隔とし、上記に述べたような回転できる2枚組合型昇降式スラットが室内地面より1.8m以下の昇降式スラットの上表面の内側部分の順歯の水平幅がＬ2＝Ｌ/3とする。
【請求項２４】
請求項4に述べたような一種類の多枚組合型昇降式スラットは、その特徴が次のようになる。上記に述べたような室内地面より1.8m以上の昇降式スラットの上表面の外側部分（Ｓ31）に回復反射歯が設置しており、その内側部分（Ｓ32）は平滑面とする。
【請求項２５】
請求項24に述べたような一種類の多枚組合型昇降式スラットは、その特徴が次のようになる。上記に述べたような室内地面より1.8m以上の昇降式スラットの上表面の外側部分（Ｓ31）の回復反射歯は、互いに垂直にする二つの隣り合っている第一歯面（6）と第二歯面（5）を含む。その第二歯面（5）と水平面の夾角がαＨ＝９０°-（βif’＋Ｈ）／２とし、その中にＨ＝βcfで、βcfはスラットの上表面の内端点（c）と日よけ用スラットが完全に展開された後の自由端（f）の接続線とスラットの外側水平面の夾角とする。βifはスラットの上表面にある任意の点(i)と日よけ用スラットが完全に展開された後の自由端fの接続線とスラットの外側水平面の夾角とする。
【請求項２６】
請求項25に述べたような一種類の多枚組合型昇降式スラットは、その特徴が次のようになる。上記に述べたような隣り合っている二枚の主スラットのピッチDと主スラットの幅Lの比が0.7とし、その中にピッチDが隣り合っている二枚の主スラットの上表面の内端点（c）の間隔とし、上記に述べたような室内地面より1.8m以上の昇降式スラットの上表面の外側部分の回復反射歯の水平幅がＬ1＝Ｌ/3で、その中にＬが主スラットの幅とする。
【請求項２７】
請求項1または2に述べたような一種類の多枚組合型昇降式スラットは、その特徴が次のようになる。上記に述べたような室内地面より1.8m以上の主スラットの下表面の内側部分に回復反射歯が設置しており、互いに垂直にする二つの隣り合っている第一歯面（6）と第二歯面（5）を含む。それは光線に対して回復反射の効果を起きる第二歯面（5）と水平面の夾角αＨの変化の範囲は、-63°≦αＨ≦-45°とする。
【請求項２８】
請求項27に述べたような一種類の多枚組合型昇降式スラットは、その特徴が次のようになる。上記に述べたような隣り合っている二枚の主スラットのピッチDと主スラットの幅Lの比が0.7とし、その中にピッチDが隣り合っている二枚の主スラットの内端点（c）の間隔とし、上記に述べたような室内地面より1.8m以上の主スラットの下表面の内側部分に設置している回復反射歯の水平幅がＬ/2とする。
【請求項２９】
請求項1または2に述べたような一種類の多枚組合型昇降式スラットは、その特徴が次のようになる。上記に述べたような室内地面より1.8m以下の主スラットの下表面の内側部分に順歯または逆歯が設置しており、互いに垂直にする二つの隣り合っている第一歯面（6）と第二歯面（5）を含む。その光線に対して偏向導入の効果を起きる第二歯面（5）と水平面の夾角αＨの変化範囲が-13°≦αＨ≦2°とする。
【請求項３０】
請求項29に述べたような一種類の多枚組合型昇降式スラットは、その特徴が次のようになる。上記に述べたような隣り合っている二枚の主スラットのピッチDと主スラットの幅Lの比が0.7とし、その中にピッチDが隣り合っている二枚の主スラットの内端点（c）の間隔とし、室内地面より1.8m以下の主スラットの下表面の内側部分に設置している順歯または逆歯の水平幅がＬ/4とする。
【発明の詳細な説明】
【技術分野】
【０００１】
当出願は、2010年4月30日に中国特許管理局に提出された、出願番号が201010162501.1で、発明の名称が「多枚組合型昇降式スラット」である中国特許出願の優先権であり、その全部内容が引用を通じて、当出願の中に結合されているものである。
【０００２】
当発明は、スラット式日よけ、光線導入システムのスラット構造に関連して、さらに具体的に言えば、多枚組合型昇降式スラットに関連するものである。
【背景技術】
【０００３】
周知のように、ブラインドは、窓の近くにいつも多すぎる直射日光を導入したので、隣り合っている窓所にグレヤ、室内過熱を発生させるが、室内の奥所にまた十分な光線が不足である。大型の事務室に均一な自然な光線を分布しようとすると、現行の市場に流行しているブラインドにとっては不可能なことである。光線と熱を低下するためには、必ず日よけをしなければならない。そうすると、事務室が暗すぎることによって、晴れている日で人工照明を使って事務室の運行を維持する必要がある。絶えず上昇しているエネルギーの価格以外、このような結果も、人々の快適性と仕事の能率を下げた。そのため、人々が重点的にスラット式日よけ、光線導入システムに発展させている。このような新しい日よけ、光線導入システムは、伝統的なブラインドのノングレアと過熱防止機能を維持するほか、日光の照明機能も増加した。これは、部屋に均一的な日光照明を獲得させることができて、冬にまだ日光を利用し暖房として、暖房費を下げることができる。
【０００４】
普通、スラット式日よけ、光線導入システムは、上部、下部という二つの部分（通常、上部と下部の境目には、一人の身長を基準とし、欧米の設定が1.9mで、アジアでこの基準を1.8mに設定するのが適切とする。）に分けることができて、この二つの部分のスラットの傾斜度が関連するものもできれば、独立のものもできる。通常、下部のスラットがノングレアと過熱防止の形に設計できるが、上部のスラットが光線を室内の奥所に導入するものに設計できる。設計費用の増加のほか、このようなシステムにも一つの欠点がある。これは、二つの部分の境目とノングレア及び光線の利用もすべて事前に設定したもので、使用者、季節と職場の具体的な照明状況によって調節したものではない。
【０００５】
室内照明は、季節、太陽の位置と空の状況（曇りがち、または晴れ渡っている）のいくつかの要素にとりかかるだけではなくて、また人々が従事する職業の種類、身長、窓からの作業位置の遠近などのような仕事の条件にとりかかる。明らかに、建築師と建築照明師より確定されたスラット式日よけ、光線導入システムは、上記のすべての要求を満足することができなくて、それらの間の１つの妥協しかないと分かる。もう一つの問題は、違う場所で違うスラット部分を配置するようにして、設計費用とスラット式日よけ、光線導入システムの価格を大いに増加するものである。
【０００６】
ヨーロッパの特許（EP0400662B1）は、一種類の日よけ式スラットを公開した。このスラットは、外側のスラットと内側のスラットとの二つの部分から構成したもので、外側のスラットは、内側のスラットとの境目線を回転軸として、内外側のスラットの回転は、それぞれスラットにつながっている縄を通じて制御する。外側のスラットは、需要によってある角度に回転させて、太陽の直射光線を室外までに阻止できて、内側のスラットは、需要によってある角度に回転させて、太陽の直射光線を照明の用途として室内までに導入できる。ドイツの特許（DE29814826U1）は、ヨーロッパの特許（EP0400662B1）のスラットの基礎の上、改善を行って、スラットのブラケットを一本増加させた。このブラケットは、二枚のフィルム製蝶番と一つの人造繊維の蝶番より構成されて、二つの蝶番の形状は、それぞれ日よけ式スラットの二つの部分の弧度の形状と一致して、それによってそれぞれ日よけ式スラットの二つの部分と一体に貼り付けることができて、日よけ式スラットの二つの部分を境目所に回転して折り返すことができる。そうすると、さらに縄での制御に便利する。ドイツの特許（DE10147523A1）は、ヨーロッパの特許（EP0400662B1）のスラットの縄制御機構に対して改善を行って、さらに優れている日よけ式スラットの縄制御機構を獲得した。しかし、これらの特許は、みな組合式スラットより構成したブラインドの透視率、直射日光への回復反射と偏向導入、及び実際的な需要によって相応的、最適な調整制御に対して考慮していない。
【０００７】
ヨーロッパの特許（EP1212508B1）は、いくつかの表面に歯をつけるものやつけないものの違う形状のスラットを公開して、その中に歯付きアーチ形スラットとW形スラットは、直射日光の回復反射と導入及びスラット式日よけ、光線導入システムの透視率の面で各自の優れている特性を表現して、W形スラットより構成したスラット式日よけ、光線導入システムの透視率が74%まで達することができて、歯付きアーチ形スラットより構成したスラット式日よけ、光線導入システムの透視率が88%まで達することができる。しかし、これらのスラットより構成したスラット式日よけ、光線導入システムには、上記の季節交換と具体的な需要の問題を解決できないことが存在している。その他、低太陽高度角の時、スラット式日よけ、光線導入システムがもっと高い透視率を維持し、もっと多い日光を導入して室内照明として使う時、グレアの発生を防止することができないため、スラットをクローズする必要がある。
【発明の概要】
【発明が解決しようとする課題】
【０００８】
当発明が解決しようとする技術問題点は、多枚組合型昇降式スラットを提供して、それは、スラット式日よけ、光線導入システムの高透視率に達して、室内の均一な日光照明度を獲得して、そして室内にグレア、夏の過熱を避け、及び冬にもっと多いソーラーを獲得して室内暖房として使用するために、季節と天気の状況及び人々の実際的な需要によって直射日光への回復反射と偏向導入に対してフレキシブルな、最適な調整制御を行うことができる。
【課題を解決するための手段】
【０００９】
当発明に採択する技術案は、具体的に次のようになる。
【００１０】
一種類の多枚組合型昇降式スラットは、その特徴は次のようになる。主スラットと昇降用スラットを含んでおり、昇降用スラットが幅方向に沿う横断面の形状と、主スラットの幅方向に沿う横断面の形状が同じで、昇降用スラットが主スラットの上表面または下表面に緊密に貼っており、昇降用スラットが昇降機関の駆動のもとで主スラットにも従って一緒に昇降でき、主スラットにも相応して昇降運動を行うことができる。
【００１１】
上記の昇降用スラットに２枚あり、２枚昇降用スラットが順次に主スラットの上表面または下表面に緊密に貼りつけている。
【００１２】
上記の主スラットの上表面に部分または全部にマイクロギヤーを設置している。
【００１３】
上記の昇降用スラットの上表面の部分または全部にマイクロギヤーを設置している。
【００１４】
上記の多枚組合型昇降式スラットには、まだ日よけ用スラットを設置しており、そのスラットは、スライドすることができるように主スラットの下表面に取付けられて、そして主スラットの下表面に集めて、冬と夏に低太陽高度角の時、日よけ用スラットは収めて、下に向いて展開されて、一部の直射日光を室外までに阻止または回復反射できる。
【００１５】
上記の多枚組合型昇降式スラットには、まだ日よけ用カーテンを設置しており、日よけ用カーテンがスライドするように主スラットの外側に取り付けられており、その巻軸は、水平的に、または垂直的に設置でき、そして窓枠内に収まることができる。
【００１６】
上記の日よけ用カーテンは、透かし彫りとそれでない二つの部分に分けられている。透かし彫り部分の高度レイアウトがスラット間のピッチDの1/2〜2/3を占めており、その中のピッチDは、隣り合っている二つの主スラットの内端点のピッチであるので、冬と夏に低太陽高度角の時、日よけ用カーテンが展開されて、一部の直射日光を室外までに阻止または回復反射する。
【００１７】
上記の昇降用スラットの上表面にあるマイクロギヤーが違うタイプのマイクロギヤーより構成したものである。
上記の主スラットは、その幅方向に沿う横断面がV形または一字形またはアーチ形または波浪形である。
上記の主スラットと昇降用スラットは、みな回転できるスラットである。
上記の主スラットは、折り畳み式スラットである。
上記の主スラットは、鋸歯形スラットである。
上記の隣りあっている二つの主スラットのピッチDと主スラットの幅Lの比が0.7とし、その中にピッチDは、隣り合っている二つの主スラットの内端点のピッチである。
【００１８】
上記のマイクロギヤーは、回復反射歯であり、互いに垂直の二つの隣り合っている第一歯面と第二歯面、直射日光に対して回復反射の効果を起きた回復反射歯の第二歯面と水平面の夾角αＨの変化範囲は、
９０°−（βia’＋Ｈ）／２≦αＨ≦９０°−（βia＋Ｈ）／２で確定でき、その中Hは、太陽高度角で、βia’は、スラットの上表面にある任意の点iとその前の隣り合っているスラットの下表面の外端点の接続線及びスラットの外側水平面の夾角であり、βiaは、スラットの上表面にある任意の点とスラットの上表面の外端点の接続線とスラットの外側水平面の夾角とする。
【００１９】
上記のマイクロギヤーは、順歯または逆歯であり、互いに垂直の二つの隣り合っている第一歯面と第二歯面を含んでおり、直射日光に対して偏向導入の効果を起きた順歯または逆歯の第二歯面と水平面の夾角αＨの変化範囲は、（βic−Ｈ）/２≦αＨ≦βic’−Ｈ）／２で確定でき、その中にHは太陽高度角で、βicは、スラットの上表面にある任意の点とスラットの上表面の内端点の接続線とスラットの内側水平面の夾角であり、βic’は、スラットの上表面にある任意の点とその前の隣り合っているスラットの下表面の内端点の接続線とスラットの内側水平面の夾角である。
【００２０】
上記の主スラットの上表面の回復反射歯、第二歯面と水平面の夾角がαＨ＝90°−（βia’＋Ｈ）/２であり、その中にH＝βca’で、βca’、スラットの上表面の内端点とその前の隣り合っているスラットの下表面の外端点の接続線とスラットの外側水平面の夾角である。
【発明の効果】
【００２１】
当発明の起きた効果は、横断面が任意の形状である多枚組合型昇降式スラットより構成された各種のスラット式日よけ、光線導入システムがみな季節変換と人々の具体的な需要によって直射日光の回復反射と偏向導入量を制御する最適化に達することができる。夏と冬に日光に対する需要の対立が克服されたと同時に、太陽高度角が高いでも低いでも、そのシステムは、とても高い透視率を維持して、人々と窓外景色との視覚交流の需要を満足させて、従来のスラット式日よけ、光線導入システムに比べて、当システムには、日光に対する自己適応性があって、一日の中でスラットの操作回数は、ただ二回だけあるので、伝統的なスラットでは絶えずそのスラットを回して太陽高度角の変化とスラットのインテリジェント化コントロールの煩いを取り除いた。
【図面の簡単な説明】
【００２２】
【図１】a〜dは、横断面が波浪形スラットの幾何構造とそれぞれの角度及びサイズの定義である。
【図２】a〜ｃは、横断面が波浪形の2枚組合式スラット（室内地面より1.8m以上）が異なる太陽高度角の区域に対する対応状況のスラットの互い関係と直射日光反射のイメージ図である。
【図３】a〜ｃは、横断面が波浪形の2枚組合式スラット（室内地面より1.8m以下）が異なる太陽高度角の区域に対する対応状況のスラットの相互関係と直射日光反射のイメージ図である。
【図４】a〜dは、横断面が波浪形の日よけ機構付き2枚組合式スラットが異なる太陽高度角の区域に対する対応状況のスラットの相互関係と直射日光反射のイメージ図である。
【図５】ａ〜ｂは、横断面が波浪形の回転できる2枚組合式スラットが異なる太陽高度角の区域に対する対応状況のスラットの相互関係と直射日光反射のイメージ図である。
【図６】ａ〜ｂは、横断面が波浪形の、主スラットが折り畳むことができる2枚組合式スラットが異なる太陽高度角の区域に対する対応状況のスラットの相互関係と直射日光反射のイメージ図である。
【図７】ａ〜ｃは、横断面が波浪形の3枚組合式スラット（室内地面より1.8m以上）が異なる太陽高度角の区域に対する対応状況のスラットの相互関係と直射日光反射のイメージ図である。
【図８】ａ〜ｃは、横断面が波浪形の3枚組合式スラット（室内地面より1.8m以下）が異なる太陽高度角の区域に対する対応状況のスラットの相互関係と直射日光反射のイメージ図である。
【図９】ａ〜ｄは、直射日光に対して回復反射と偏向導入の効果を起きた曲面上のマイクロギヤーのすくい角の定義である。
【図１０】a〜fは、横断面がフラットパネル形スラットの表面マイクロギヤーのタイプと分布である。
【図１１】a〜dは、横断面がつりあいV形スラットの表面マイクロギヤーのタイプと分布である。
【図１２】a〜dは、横断面がアーチ形スラットがそれぞれの太陽高度角の区域にある表面マイクロギヤーの分布である。
【図１３】a〜dは、横断面が波浪形スラットの表面マイクロギヤーのタイプと分布である。
【図１４】a〜dは、横断面がV形スラットの表面マイクロギヤーのタイプと分布である。
【図１５】横断面がアーチ形スラットのストリングハイトh、弦長Lと弧上の接線角θiの定義である。
【図１６】横断面が波浪形スラットのストリングハイトh、弦長Lと弧上の接線角θiの定義である。
【図１７ａ】2枚組合型つりあいV形スラット衣愚（γ１＝−５°，γ２＝５°）が夏と冬に異なる太陽高度角Hでの光線回復反射と偏向導入状況である。
【図１７ｂ】2枚組合型つりあいV形スラット衣愚（γ１＝−５°，γ２＝５°）が夏と冬に異なる太陽高度角Hでの光線回復反射と偏向導入状況である。
【図１７ｃ】2枚組合型つりあいV形スラット衣愚（γ１＝−５°，γ２＝５°）が夏と冬に異なる太陽高度角Hでの光線回復反射と偏向導入状況である。
【図１７ｄ】2枚組合型つりあいV形スラット衣愚（γ１＝−５°，γ２＝５°）が夏と冬に異なる太陽高度角Hでの光線回復反射と偏向導入状況である。
【図１８】a〜bは、主スラットが折り畳み可とする2枚組合型つりあいV形スラット（γ１＝−５°，γ２＝５°）が太陽高度角H=20°の時、室内地面より1.8m以上と以下の光線回復反射と偏向導入状況である。
【図１９】a〜bは、日よけ用スラット付き2枚組合型フラットパネル形スラットが太陽高度角H=20°の時、室内地面より1.8m以上と以下の光線回復反射と偏向導入状況である。
【図２０】a〜bは、回転できる2枚組合型つりあいV形スラット（γ１＝−５°，γ２＝５°）が太陽高度角H=20°の時、室内地面より1.8m以上と以下の光回復反射と偏向導入状況である。
【図２１】a〜cは、3枚組合型フラットパネル形スラットが低太陽高度角Hの光線回復反射と偏向導入状況である。
【図２２】a〜bは、日よけ用スラット付き2枚組合型フラットパネル形鋸歯スラットが太陽高度角H=20°の時、室内地面より1.8m以上と以下の光線回復反射と偏向導入状況である。
【図２３】a〜cは、横断面がフラットパネル形鋸歯付きスラットの鋸歯の分布とタイプである。
【図２４】a〜cは、日よけ用スラットと2枚組合式スラットの三つのヒンジで連結する位置図である。
【図２５】巻軸が水平的に設置される上下伸び縮み日よけカーテンである。
【図２６】巻軸が垂直的に設置される左右伸び縮み日よけカーテンである。
【図２７】a〜bは、室内地面より1.8m以下の2枚組合型昇降式アーチ形スラットがαＨ＝０時、異なる太陽高度角H(Ｈ＝34°〜47°)の光線反射状況である。
【図２８】a〜bは、室内地面より1.8m以下の2枚組合型昇降式アーチ形スラットがαＨ＝−９°時、異なる太陽高度角H(Ｈ＝34°〜47°)の光線反射状況である。
【図２９】a〜bは、室内地面より1.8m以下の2枚組合型昇降式アーチ形スラットがαＨ＝−１３°時、異なる太陽高度角H(Ｈ＝34°〜47°)の光線反射状況である。
【図３０】a〜bは、室内地面より1.8m以下の2枚組合型昇降式波浪形スラットがαＨ＝２°時、異なる太陽高度角H(Ｈ＝34°〜47°)の光線反射状況である。
【図３１】a〜bは、室内地面より1.8m以下の2枚組合型昇降式波浪形スラットがαＨ＝-8°時、異なる太陽高度角H(Ｈ＝34°〜47°)の光線反射状況である。
【図３２】a〜bは、室内地面より1.8m以下の2枚組合型昇降式波浪形スラットがαＨ＝−１３°時、異なる太陽高度角H(Ｈ＝34°〜47°)の光線反射状況である。
【図３３】a〜bは、室内地面より1.8m以上の2枚組合型昇降式アーチ形スラットの下表面にマイクロギヤーのない時、異なる太陽高度角H(Ｈ＝45°〜70°)の光線反射状況である。
【図３４】a〜bは、室内地面より1.8m以上の2枚組合型昇降式アーチ形スラットがαＨ＝−４５°時、その外端点a所の異なる太陽高度角H(Ｈ＝45°〜70°)の光線反射状況である。
【図３５】a〜bは、室内地面より1.8m以上の2枚組合型昇降式アーチ形スラットがαＨ＝−４５°時、その上表面にある任意の1か所の異なる太陽高度角H(Ｈ＝45°〜70°)の光線反射状況である。
【図３６】a〜bは、室内地面より1.8m以上の2枚組合型昇降式波浪形スラットの下表面にマイクロギヤーのない時、その外端点a所の異なる太陽高度角H(Ｈ＝45°〜70°)の光線反射状況である。
【図３７】a〜bは、室内地面より1.8m以上の2枚組合型昇降式波浪形スラットがαＨ＝−４５°時、その外端点a所の異なる太陽高度角H(Ｈ＝45°〜70°)の光線反射状況である。
【図３８】a〜bは、室内地面より1.8m以上の2枚組合型昇降式波浪形スラットがαＨ＝−４５°〜−６３°時、その外端点a所の異なる太陽高度角H(Ｈ＝45°〜70°)の光線反射状況である。
【発明を実施するための形態】
【００２３】
図1a〜図1d、横断面（幅方向に沿って）が波浪形スラットの幾何構造とそれぞれの角度とサイズの定義を示した。その中にスラットが主スラット（1）または昇降用スラットである。Ｌがスラットの幅、つまりスラットの外端点aと内端点cの水平距離である。Ｄが隣り合っている二つのスラットのピッチ、つまり隣り合っている二つのスラットの内端点ｃの垂直距離である。最適化の選択として、隣り合っている二つのスラットのピッチDとスラットの幅Lの最適比が0.7とし、hがスラットの水平放置時の最高点cと最低点a’の垂直距離で、
（外１）
2013525641.tif 000003
がスラット式日よけ、光線導入システムの透視率
（外２）
2013525641.tif 000004
で、図中の矢印点線枠で表示する。スラットの上表面にある点b（b点の選取は、別紙の実施例による）とスラットの外端点aとの水平距離がＬ1で、スラットの内端点cの水平距離がＬ2である。図1a中にβca’がスラットの上表面の内端点cとその前に隣り合っているスラットの下表面の外端点a’の接続線とスラットの外側水平面の夾角である。βia’がスラットの上表面にある任意の点iとその前に隣り合っているスラットの下表面の外端点a’の接続線とスラットの外側水平面の夾角である。βiaがスラットの上表面にある任意の点iとスラットの上表面の外端点aの接続線とスラットの外側水平面の夾角である。βixがスラットの上表面にある任意の点iの反射光線と水平面の夾角である。図1bの中に、βic’がスラットの上表面にある任意の点iとその前に隣り合っているスラットの下表面の外端点c’の接続線とスラットの内側水平面の夾角である。βicがスラットの上表面にある任意の点iとスラットの上表面の内端点ｃの接続線とスラットの内側水平面の夾角である。図1cの中に、βcfはスラットの上表面の内端点ｃと日よけ用スラットが完全に展開された後の自由端fの接続線とスラットの外側水平面の夾角である。βifはスラットの上表面にある任意の点iと日よけ用スラット4が完全に展開された後の自由端fの接続線とスラットの外側水平面の夾角である。図1dの中に、βcfは昇降用スラット2が二つの主スラット1の中央位置までに降ろされた時、主スラット1の上表面の内端点ｃと昇降用スラット2の下表面の外端点fの接続線と主スラット1の外側水平面の夾角である。
【００２４】
図2と図3では、それぞれに横断面が波浪形2枚組合式スラットが異なる太陽高度角H（太陽高度角とは、日光の入射方向と水平面との夾角を指す。）の区域に対する対応状況のスラット相互間の関係と直射日光の反射イメージ図を示した。三つの異なる太陽高度角の区域区分は、夏の太陽高度角Ｈ＞βca’、冬の太陽高度角Ｈ＞βca’と冬と夏の太陽高度角Ｈ≦βca’に分けられている。図2は、室内地面より1.8m以上部分のスラットであり、図3は、室内地面より1.8m以下部分のスラットである、図の中の（a）は、夏の太陽高度角Ｈ＞βca’の直射日光の反射とスラットとの関係、つまりスラットが直射日光に対して回復反射する時発生した反射光線とスラットの外側水平面の夾角βixは、(βia＋Ｈ)/２≦βix≦(βia’＋Ｈ)/２の条件を満足しなければならない。図の中の（b）は、冬の太陽高度角Ｈ＞βca’の直射日光の反射とスラットとの関係、つまりスラットが直射日光に対して偏向導入を行って発生した反射光線とスラットの内側水平面の夾角βixは、90°＋(βic−Ｈ)/２≦βix≦90°＋(βic’−Ｈ)/２の条件を満足しなければならない。図の中の（c）は、冬と夏の太陽高度角Ｈ≦βca’の直射日光の反射とスラットとの関係、つまりスラットの外側部分が直射日光に対して回復反射する時発生した反射光線とスラットの外側水平面の夾角βixは、(βia＋Ｈ)/２≦βix≦(βif＋Ｈ)/２の条件を満足しなければならない。内側部分が直射日光に対して偏向導入する時発生した反射光線とスラットの外側水平面の夾角βixは、90°＋(βic−Ｈ)/２≦βix≦90°＋(βic’−Ｈ)/２の条件を満足しなければならない。上記に示した冬と夏の太陽高度角Ｈ≦βca’を処理する直射日光が反射される時、スラット間の関係以外、図4と図6には、またその他の3種類の処理方式を示して、別々に日よけ機構（図4による）を展開して、スラット（図5による）を回転させて、または主スラットの折り畳み部分（図6による）を回転させて、その中に（a）は、室内地面より1.8m以上部分のスラットであり、（b）は室内地面より1.8m以下部分のスラットである。図2と図3に対応する図7と図8には、それぞれ横断面が波浪形である3枚組合式スラットの中に、各スラットが三つの異なる太陽高度角H区域に対する対応状況のスラット間の相互関係と直射日光反射のイメージ図を示した。
【００２５】
図2と図3によって、2枚組合型昇降式スラットは、主スラット1、昇降用スラット2及びスラットの昇降を駆動する機構（図の中に示していない）より構成したものである。主スラット1が幅方向に沿う横断面の形状が波浪形、V形、一字形（フラットパネル形）とアーチ形等その他の任意の形状になることができる。主スラット1と昇降用スラット2の上表面は平滑面でもいい、マイクロギヤー（より小さい鋸歯）付き反射光面でもいい。（図9〜図14による）下表面は、マイクロギヤー付かない逆光面である。当実施例の中に主スラット1は、回転することができないが、昇降できる。昇降用スラット2の横断面の形状（幅方向に沿って）は、主スラット1の横断面の形状（幅方向に沿って）と同じで、普通、主スラット1の上表面と下表面に緊密に貼っており、主スラット1にも従って一緒に昇降でき、主スラット1にも対応して昇降運動を行うことができる。夏に高太陽高度角H（太陽高度角Ｈ＞βca’）の時、昇降用スラット2が主スラット1の下表面に緊密に貼っており、主スラット1の上表面のマイクロギヤーがそれに照射した直射日光を室外までに回復反射する。冬の高太陽高度角H（太陽の高度角Ｈ＞βca’）の時、昇降用スラット2がその前の主スラット1の下表面から次の隣り合っている主スラットの上表面までに降ろされて、スラットの上表面マイクロギヤーに照射した全部直射日光を室内までに偏向導入したり、一部の直射日光を室外までに回復反射して、もう一部の直射日光を室内までに偏向導入する。冬と夏の低太陽高度角(Ｈ≦βca’)の時、昇降用スラット2が二つの主スラット1の中央位置に降ろされて、スラットの上表面マイクロギヤーに照射した一部の直射日光を室外までに回復反射でき、もう一部の直射日光を室内までに偏向導入できたり、全部の直射日光を室内までに偏向導入できる。
【００２６】
図7と図8によって、３枚組合型昇降式スラットは、2枚組合式スラットに対する改善したものであるが、2枚組合型昇降式スラットの構造と違うところは、その昇降用スラットが2枚あることにある。昇降用スラット2と3が順次に主スラット1の上表面または下表面に緊密に貼っており、主スラット1にも従って一緒に昇降できて、主スラット1にも対応して昇降運動を行うことができる。夏の高太陽高度角H（太陽高度角Ｈ＞βca’）の時、昇降用スラット2と3が主スラット1の下表面に緊密に貼っており、主スラット1の上表面マイクロギヤーがそれに照射した直射日光を室外までに回復反射する。冬の高太陽高度角H（太陽高度角Ｈ＞βca’）の時、昇降用スラット2がその前の主スラット1の下表面から次の隣り合っている主スラット1の上表面までに降ろされて、スラットの表面マイクロギヤーに照射した直射日光を室内までに偏向導入したり、一部の直射日光を室外までに回復反射して、昇降用スラット3が依然として主スラット1の下表面に緊密に貼っている。冬と夏の低太陽高度角Ｈ≦βca’の時、昇降用スラット2が次の主スラット1に降ろされて、昇降用スラット3が二枚の主スラット間の中央位置に降ろされて、二つの主スラットの間を2等分分けて、スラットの上表面マイクロギヤーに照射した一部の直射日光を室外までに回復反射できて、もう一部の直射日光を室内までに偏向導入したり、全部の直射日光を室外までに回復反射する。
【００２７】
図4に示したのは、日よけ機構付き2枚組合型昇降式スラットである。2枚組合型昇降式スラットの構造と違うところは、主スラット１、昇降用スラット２と日よけ機構４のような日よけ機構を持つことにある。日よけ機構４は、日よけ用スラット４または日よけ用カーテン４のため、日よけ用スラット４が幅方向に沿う横断面形状は、主スラット1にマッチングして、回転できるフラットパネル形スラットまたはアーチ形スラットが設計できる。反射光面が平滑面またはマイクロギヤー付き面であり、日よけ用スラット４が移動的に主スラット1の背面（つまり下表面）の任意の1か所に設置されて、日よけ用カーテン４がスラット１の外側に設置されて、巻軸が水平的に設置される上下に伸び縮みできる日よけ用カーテン、または巻軸が垂直的に設置される左右に伸び縮みできる日よけ用カーテンである。日よけ用カーテンは、透かし彫りの部分と透かし彫りでない部分に分けられて、低太陽高度角の時、巻軸式日よけ用カーテンを展開して、グレアを発生する直射日光を阻止し、いかなる光線がいらないと、引き続き日よけ用カーテンを回して、透かし彫りでない部分がスラット全体を覆うまでに至る。主スラット1が昇降できるが、回転できなくて、昇降用スラット2の横断面の形状が主スラット1の横断面の形状と同じ、普通は、日よけ機構の表面に緊密に貼っており、主スラット1にも従って一緒に昇降でき、主スラットにも対応して昇降運動を行うことができる。夏の高太陽高度角H（太陽高度角Ｈ＞βca’）の時、昇降用スラット2が主スラット1の下表面に緊密に貼っており、主スラット1の上表面のマイクロギヤーがそれに照射した直射日光を室外までに回復反射して、この時、日よけ用カーテン4が収まったり、日よけ用スラット4が主スラット1の下表面に収まる。冬の高太陽高度角H（太陽高度角Ｈ＞βca’）の時、昇降用スラット2がその前の主スラットの下表面から次の隣り合っている主スラット1の上表面までに降ろされて、スラットの上表面マイクロギヤーに照射した直射日光の一部または全部を室内までに偏向導入する。この時、日よけ用カーテン4が収まったり、日よけ用スラット4が主スラット1の下表面に収まる。冬と夏に低太陽高度角（太陽高度角Ｈ≦βca’）の時、日よけ用カーテン4または日よけ用スラット4が展開され、一部の直射日光を室外までに阻止したり、回復反射すると同時に、昇降用スラット2が主スラット1の上表面までに降ろされて、スラットの上表面マイクロギヤーに照射した一部の直射日光を室外までに回復反射して、もう一部の直射日光を室内までに偏向導入したり、全部の直射日光を室内までに偏向導入する。
【００２８】
図25は、巻軸が水平的に設置する上下伸び縮み式日よけ用カーテンの正面図を示した。図34は、巻軸が垂直的に設置する左右伸び縮み式日よけ用カーテンの配合正面図を示した。図の中で32と44は、巻軸であり、42は、日よけ用カーテンリブであり、43は、日よけ用カーテンであり、431と432は、日よけ用カーテンの透かし彫り部分であり、スラットのピッチDと透視率の要求によって、透かし彫り部分の設計高度がスラットのピッチDの1/2〜2/3を占める。433は、日よけ用カーテンの透かし彫りでない部分であり、高太陽高度角の時、日よけ用カーテンが収まれ、低太陽高度角の時、日よけ用カーテンが展開されて、実際の情況によって日よけ用カーテンのそれぞれの部分を使う。以上からも分かるように、日よけ用カーテン機構付きと付かない2枚組合型昇降式スラットの適用範囲がきわめて広くになっており、平面窓にも応用でき、曲面窓にも応用できる。
【００２９】
図24は、日よけ用スラット4と2枚組合式スラットの3枚のヒンジで連結する位置図、つまり主スラット1の外端点、中点と内端点を示した。以上からも分かるように、異なる場所にスラットの応用状況によって違うヒンジで連結する位置の日よけ用スラットを配置できる。
日よけ用スラット4の横断面の幅は、太陽高度角Ｈ＝βcfの直射日光より確定にされて、通常、太陽高度角Hが20°〜35°範囲内の直射日光を阻止できることを考慮する。このところにβcf＝２０°を取って、この時、スラット1の内端点cから主スラット１とβcfになる直線を入れて、その前の主スラット１の前端点a’から上記の直線の垂直線を入れて、その一つの交点fを獲得し、その前の主スラット１の前端点a’からこの交点fまでの距離dが日よけ用スラット４の横断面の幅とする。（図1による）
日よけ用カーテン4と日よけ用スラット4の反射光面は、平滑面または光線の回復反射の効果を起きるマイクロギヤーである。（図24〜図26による）
図5に示しているのは、回転できる2枚組合型昇降式スラットである。それが2枚組合型昇降式スラットの構造と違うところは、主スラット1と昇降用スラット2が昇降できるだけでなく、回転することができる。しかも同様に主スラット1と昇降用スラット2の構造を含んでいることにある。当実施例の中に、主スラット1と昇降用スラット2の上表面は、マイクロギヤー付き反射光面であり、下表面は、マイクロギヤー付かない逆光面である。昇降用スラット2の横断面（幅方向に沿って）の形状は、主スラット1の横断面の形状と同じ、普通は、主スラット1の上表面または下表面に緊密に貼っており、主スラット1に従って一緒に昇降、回転して、スラットの回転角が
（外３）
2013525641.tif 000005
で表示する。夏の高太陽高度角H（太陽高度角Ｈ＞βca’）の時、昇降用スラット2が主スラット1の下表面に緊密に貼っており、主スラット1の上表面のマイクロギヤーがそれに照射した直射日光を室外までに回復反射する。冬の高太陽高度角H（太陽高度角Ｈ＞βca’）の時、昇降用スラット2がその前の主スラット1の下表面から次の主スラット1の上表面までに降ろされて、スラットの上表面マイクロギヤーに照射した全部の直射日光を室内までに偏向導入したり、一部の直射日光を室外までに回復反射して、もう一部の直射日光を室内までに偏向導入する。冬と夏に低太陽高度角（太陽高度角Ｈ≦βca’）の時、昇降用スラット2がその前の主スラット1の下表面から次の主スラット1の上表面までに降ろされて、日光を室内までに直射できなくて、グレアを発生できないように主スラット１に従って一緒に水平位置からある角度
（外４）
2013525641.tif 000006
までに回転する。それによって、スラットの上表面マイクロギヤーに照射した全部の直射日光を室内までに偏向導入したり、一部の直射日光を室外までに回復反射して、もう一部の直射日光を室内までに偏向導入する。
【００３０】
図6によって、主スラットが折り畳み2枚組合型昇降式スラットと2枚組合型昇降式スラットの構造と違うところは、主スラット1が折り畳みスラットであることにあって、主スラット1が互いにヒンジで連結する内外スラットより構成できて、しかも同様に主スラット1と昇降用スラット2の上表面は、マイクロギヤー付き反射光面であり、その下表面は、マイクロギヤー付かいない逆光面である。昇降用スラット2の横断面（幅方向に沿って）の形状は、主スラット1の横断面の形状と同じ、普通は、主スラット1の上表面または下表面に緊密に貼っており、主スラット1に従って一緒に昇降する。夏の高太陽高度角H（太陽高度角Ｈ＞βca’）の時、昇降用スラット2が主スラット1の下表面に緊密に貼っており、主スラット１の上表面マイクロギヤーがそれに照射した直射日光を室外までに回復反射する。冬と夏に高太陽高度角H（太陽高度角Ｈ＞βca’）または冬と夏に低太陽高度角H（太陽高度角Ｈ≦βca’）の時、昇降用スラット2がその前の主スラット1の下表面から次の主スラット1の上表面までに降ろされて、スラットの上表面マイクロギヤーに照射した全部直射日光を室内までに偏向導入したり、一部の直射日光を室外までに回復反射して、もう一部の直射日光を室内までに偏向導入する。この時、主スラット1の外側スラットが直射日光の状況によって下向け回転するので、日よけ機構の効果を起きている。
【００３１】
スラットの表面上のマイクロギヤーの歯面が起きた効果は、2種類に分けられる。1種類は、直射日光に対して回復反射する。もう１種類は、直射日光に対して偏向導入する。図9（a）〜（d）は、直射日光に対して回復反射と偏向導入の効果を起きた曲面形スラット上のマイクロギヤーの幾何構造とすくい角の定義を示した。図9（a）は、任意の曲面形スラット上に直射日光に対して回復反射の効果を起きたマイクロギヤの幾何構造と角度の定義（回復反射歯という）を示した。図9（b）は、任意の垂直的な曲面形スラット上に直射日光に対して回復反射の効果を起きたマイクロギヤー（回復反射歯という）の幾何構造及び角度の定義を示した。図9（c）は、任意の曲面形スラット上に直射日光に対して偏向導入の効果を起きたマイクロギヤー（順歯という）の幾何構造と角度の定義を示した。図9（d）は、任意の曲面形スラット上に直射日光に対して偏向導入の効果を起きたマイクロギヤー（逆歯という）の幾何構造及び角度の定義を示した。各種のマイクロギヤーは、スラット表面の幅方向に沿う歯の幅pが等しくて、歯山が同じスラットの表面上にあって、マイクロギヤーの二つの隣り合っている第一歯面6と第二歯面5と互いに垂直的にして、直射日光に対して回復反射の効果を起きた曲面形スラット上の回復反射歯の第二歯面5と水平面の夾角αHの変化範囲は、90°＋(βia’＋Ｈ)/２≦αH≦90°−(βia＋Ｈ)/２で確定でき、直射日光に対して偏向導入の効果を起きた曲面形スラット上の順歯または逆歯の第二歯面5と水平面の夾角αHの変化範囲は、(βic−Ｈ)/２≦αH≦(βic’−Ｈ)/２で確定できて、その中にHが太陽高度角である。回復反射歯の効果は、その第二歯面5上に照射した直射日光が偏日光入射方向のある角度に沿って室外の空までに反射し戻したり、マイクロギヤーの第二歯面5上に照射した直射日光を第一歯面6までに偏向したり、マイクロギヤーの第一歯面6上に照射した直射日光を第二歯面5までに偏向してから、再度日光入射方向に沿って室外の空までに反射して戻し、日光をスラットに止まって熱量に転化させないことによって、日よけの効果を起きる。普通は、夏の高太陽高度角H（太陽高度角Ｈ＞βca’）の直射日光への対応に用いる。順歯の第二歯面5の幅が第一歯面6の幅よりずっと大きくて、その効果は、その第二歯面5上に照射した直射日光を室内までに偏向導入して、日光照明と暖房（第一歯面6が普通、日光に照射されて着くことはできない）として使うので、順歯では、普通、冬の高太陽高度角H（太陽高度角Ｈ＞βca’）または冬と夏の低太陽高度角H(太陽高度角Ｈ≦βca’)の直射日光に対応する。逆歯の第二歯面5の幅は、第一歯面6の幅よりずっと大きくて、二つの歯面は、直射日光に対して、完全に異なる効果を起きて、第二歯面5に照射した一部の直射日光が室内までに偏向導入されて、一部の直射日光が第一歯面6までに偏向されてから、再度第一歯面6に日光入射方向に沿って室外の空までに反射され戻る。逆歯は、その前の隣り合っているスラットの内端点c’の下表面に反射されないように普通、冬の最大の太陽高度角H（普通は、この時の太陽高度角がＨ＝45°を考えられる。）の直射日光を偏向することに用いる。異なる季節、異なる太陽高度角の直射日光に対応するために、スラットの上表面を多種の形に処���する。１．全部は平滑面（この時、b点がスラットの幅方向に沿う中点である）である。2.一部は、平滑面であり、一部は、歯付き部分である。（例えば、その前の一部が逆歯であり、後の一部が平滑面である。この時、b点が逆歯と平滑面の境目点である。）3.一部は、1種類のマイクロギヤーであり、もう一部は、別のマイクロギヤーである。（例えば、その前の一部が回復反射歯であり、後の一部が順歯である。この時、b点が回復反射歯と順歯との境目点である）4.全部は、1種類のマイクロギヤーである。（例えば、全部は、回復反射歯である。この時、b点がスラットの幅方向に沿う中点である。）
横断面が任意形状の組合型昇降式スラットが三つの異なる太陽高度角の区域に対応して、その表面には、異なるマイクロギヤーがあって、主スラット全体1、昇降用スラット全体2と3の表面をSで表示で、Sで奇数の下付き文字をプラスして室内地面より1.8m以上のスラットを表して、Sで偶数の下付き文字をプラスして室内地面より1.8m以下のスラットを表すと、室内地面より1.8m以上の主スラット1の上表面をS1とし、室内地面のより1.8m以下の主スラット1の上表面をS2とし、室内地面より1.8m以上の昇降用スラット2の上表面をS3とし、室内地面より1.8m以下の昇降用スラット2の上表面をS4とし、室内地面より1.8m以上の昇降用スラット3の上表面をS5とし、室内地面より1.8m以下の昇降用スラット3の上表面をS6とし、再度スラットをb点で内側と外側の2部分に分けて、Sの第二位の奇数の下付き文字1で外側部分を表示して、その幅は、スラットの外端点aよりの距離Ｌ1で表示して、Sの第二位の偶数の下付き文字2で内側部分を表示して、その幅は、スラットの内端点cよりの距離Ｌ2で表示する。図10がフラットパネル形スラットの上表面のマイクロギヤーのタイプと分布状況を示した。その中の（a）は、夏の太陽高度角Ｈ＞βca’、室内地面より1.8m以上の主スラット1に用いる。その上表面S1が回復反射歯付きであり、回復反射歯の第二歯面5と水平面の夾角αＨの最適値の計算式は、αＨ＝90°−（βia’＋Ｈ）／２で、式の中、Ｈ=βca’である。（b）は冬の太陽高度角Ｈ＞βca’または冬と夏の太陽高度角Ｈ≦βca’に用いる。室内地面より1.8m以上の昇降用スラット2は、その上表面の外側部分S31が逆歯付きである。それによって冬の最大の太陽高度角H（Ｈ＝45°)の直射日光がその前の隣り合っているスラットの内端点c’の近くの下表面に偏向できない。マイクロギヤーの第二歯面5と水平面の夾角αＨの最適値の計算式は、αＨ＝（βix−Ｈ）／２、まだ（βic−Ｈ）／２≦αＨ≦（βic’−Ｈ）／２であり、式の中に、Ｈ＝45°、幅Ｌ1＝0〜Ｌであり、その内側部分Ｓ32が平滑面とする。（c）は夏の太陽高度角Ｈ＞βca’、室内地面より1.8m以下の主スラット1に用いる。その上表面Ｓ21、Ｓ22に回復反射歯付き、回復反射歯の第二歯面5と水平面の夾角αＨの最適値の計算式は、αＨ＝90°−（βia’＋Ｈ）／２、式の中に、Ｈ＝βca’とする。(d)は冬の太陽高度角Ｈ＞βca’または冬と夏の太陽高度角Ｈ≦βca’に用いる。室内地面より1.8m以下の昇降用スラット2は、その上表面の外側部分Ｓ41に回復反射歯付き、回復反射歯の第二歯面5と水平面の夾角αＨの最適値の計算式は、αＨ＝90°−（βif＋Ｈ）／２、式の中に、Ｈ＝βcf、幅Ｌ1＝2Ｌ/3、その内側部分Ｓ42に順歯付き、その順歯の第二歯面5と水平面の夾角αＨの最適値の計算式は、αＨ＝（βic’−Ｈ）／２、式の中に、Ｈ＝βca’、幅Ｌ2＝Ｌ/3とする。それによって、太陽高度角βcf≦Ｈ≦βca’の場合、反射光線がその前のスラットの下表面までに偏向できなくて、しかも偏向導入した光線とスラットの内側水平面の夾角と50°以上を維持して、回転できる2枚組合型昇降式スラットの、室内地面より1.8m以下の昇降用スラット2の上表面外側部分Ｓ41が回復反射歯付き、その回復反射歯の第二歯面5と水平面の夾角αＨの最適値の計算式は、αＨ＝90°−（βia’＋Ｈ）／２、式の中に、Ｈ＝βca’、幅Ｌ1＝2Ｌ/3、その内側部分の第二歯面5と水平面の夾角αＨの最適値の選取は、主スラット1をスラットの回転軸（幅方向の中点に沿って）の逆時計方向に一つの角度
（外５）
2013525641.tif 000007
に回転して、再度αＨ＝（βic’-Ｈ）／２で計算して、式の中に、Ｈ＝βcf、幅Ｌ2＝Ｌ/3とする。(e)と（f）は、（b）の別の選択案である。(e)昇降用スラット2の上表面Ｓ31、Ｓ32が平滑面である。(f)昇降用スラット2の上表面Ｓ31が回復反射歯付き、Ｓ32が平滑面である。図10に相応して、図11〜図14は、何種類のスラットの横断面の形状及びそれぞれの太陽高度角の区域に対応するスラットの表面マイクロギヤー歯の構造を示した。その中の図11に示したスラットは、つりあいV形スラットであり、図12に示したスラットは、アーチ形スラットであり、図13に示したスラットは、波浪形スラットであり、図14に示したスラットは、γ１とγ２と等しくないV形スラット（γ１とγ２がスラットの外側、内側板と水平面の夾角で、逆時計方向の回りがプラスとし、時計方向の回りがマイナスとする。図11による）、図の中に（a）、（b）、（c）、（d）のスラットの効果は、図10のフラットパネル形スラットと同じである。図15は、アーチ形スラットのストリングハイトhと弦長Lの比例及びアーチ形ラインにある任意の点iの接線と水平面の夾角θiの定義を示した。図16は、波浪形スラットの二つのアーチ形のストリングハイトの和hと弦長Ｌの比例及びアーチ形ラインにある任意の点iの接線と水平面の夾角θiの定義を示した。以上の図からも分かるように、この点iを通っている半径Rとアーチ形円心を通っている垂直線の夾角がθiに等しい。この垂直線を極軸とし、θiの逆時計方向をプラスとし、時計方向をマイナスとする。
【００３２】
図9（b）によって、日よけ用カーテンと日よけ用スラット4の反射光面に配置した回復反射歯の第二歯面5と水平面の夾角αＨの値は、45°を取る。
【００３３】
図14は、２枚組合型昇降式V形スラット（γ１=-8°、γ2=0）と（γ１=0、γ2=7°）の横断面の形状とその上表面に分布したマイクロギヤータイプを示した。その中にV形主スラット1の外側部分Ｓ11と水平面の夾角あがγ１とし、V形主スラット1の内側部分Ｓ12と水平面の夾角がγ2とし、その中に2枚組合型昇降式V形スラット（γ１=-8°、γ2=0）は、室内地面より1.8m以上の場合に応用されて、2枚組合型昇降式V形スラット（γ１=0、γ2=7°）は、室内地面より1.8m以下（それが夏と冬の異なる太陽高度角Hの光線回復反射と偏向導入の状況と図17a〜図17dに示した主スラットがつりあいV形2枚組合型昇降式スラットのスラット式日よけ、光線導入システム的上下部分の情況と同じであるので、示されていない）の情況に応用される。これは、異なる形状のスラットでスラット式日よけ、光線導入システムの上下の２部分を組合できることを表している。
【００３４】
図17a〜図17dでは、主スラットがつりあいV形である2枚組合型昇降式スラットは、スラット式日よけ、光線導入システムの上下部分、夏と冬に異なる太陽高度角Hの光線回復反射と偏向導入の情況に応用されることを示した。(主スラットがつりあいフラットパネル形、アーチ形と波浪形の2枚組合型昇降式スラットは、スラット式日よけ、光線導入システムの上下部分、夏と冬に異なる太陽高度角Hの光線回復反射と偏向導入の情況に応用されることに同じ結果があるので、示していない。)図18a〜図18bでは、主スラットが折り畳みできる2枚組合型昇降式つりあいV形スラットは、スラット式日よけ、光線導入システムの上下部分、太陽高度角H=20°の時、室内地面より1.8m以上と以下の光線回復反射と偏向導入の情況への応用を示した。図19a〜図19bでは、日よけ機構付き2枚組合型昇降式フラットパネル形スラットは、スラット式日よけ、光線導入システムの上下部分、太陽高度角H=20°の時、室内地面より1.8m以上と以下の光線回復反射と偏向導入の情況への応用を示した。(その他の太陽高度角Hの光線回復反射と偏向導入の情況を示していなくて、またアーチ形スラットに同じ結果があるので、示していない。)図20a〜図20bでは、回転できる2枚組合型つりあいV形スラットは、スラット式日よけ、光線導入システムの上下部分が太陽高度角H=20°の時、室内地面より1.8m以上と以下の光線回復反射と偏向導入の情況への応用を示した。（その他の太陽高度角Hの光線回復反射と偏向導入の情況を示していなくて、またフラットパネル形スラットとアーチ形スラットに同じ結果があるので、示していない。)上記の図の中には、点線が直射日光を表して、それに対応した実線がスラットに回復反射されたり、偏向反射される光線を表して、Hが太陽高度角である。図の中にa（つまり図17a、図18a、図19a、図20a）は、室内地面より1.8m以上の組合式スラットが夏に異なる太陽高度角Hの光線回復反射と偏向導入の情況である。図の中にb（つまり図17b、図18b、図19b、図20b）は、室内地面より1.8m以下の組合式スラットが夏に異なる太陽高度角Hの光線回復反射と偏向導入の情況である。図の中にc（つまり図17c）は、室内地面より1.8m以上の組合式スラットが冬に異なる太陽高度角Hの光線回復反射と偏向導入の情況である。図の中にd（つまり図17d）は、室内地面より1.8m以下の組合式スラットが冬に異なる太陽高度角Hの光線回復反射と偏向導入の情況である。図の中から分かるように、上記の横断面が任意の形状である2枚組合型昇降式スラットより構成する各種のスラット式日よけ、光線導入システムは、みな季節の変換と人々の具体的な需要によって直射日光の回復反射と偏向導入量の最適化制御に達することができ、その同時にとても高い透視率を維持できるので、人々が窓外景色との視覚交流の需要を満足でき、太陽高度角Ｈ≦βca’(βca’=33°〜３５°)の直射日光に対しても、とても高い透視率（少なくとも50%以上に達する）を維持できる場合、直射日光の回復反射と偏向導入量を制御できる。従来のスラット式日よけ、光線導入システムと比べると、一日中、スラットシステムの操作回数は、ただ2度だけあって、太陽高度角の変化に適応するために伝統的なスラットを絶えず回転させる必要がある煩いを取り除いた。図の中で発見できるように、室内地面より1.8m���下の、回転できない2枚組合式スラットは、冬の太陽高度角がＨ≧βca’の時、少ない一部の直射日光がその前の隣り合っているスラットの内端点c’の近く（スラットの内端点cから水平距離L/4範囲内まで）の下表面に偏向され、スラットの下表面を経て、再度下向け偏向されることによるグレアを発生するので、このグレアを取り消すためにスエードまたは上塗りの方法で、スラットの下表面を光反射しない表面に処理したり、スラットの内端点cから水平距離までＬ2＝Ｌ/4の範囲内にあるスラットの下表面に順歯または逆歯を配置でき、その第二歯面5と水平面の夾角が-13°≦αＨ≦2°とし、反射光線と水平面の夾角を大きくとする。図27〜29では、それぞれ室内地面より1.8m以下の2枚組合型昇降式アーチ形スラットが異なったαＨの時、異なる太陽高度角H（Ｈ＝34°〜47°）の光線反射の情況を示した。図の中で（b）は、（a）の中のスラットの下表面マイクロギヤーの局部拡大図である。図に示すように、昇降式スラット2が主スラット１の上表面までに降ろされて、外側部分Ｓ41が回復反射歯とし、内側部分Ｓ42が順歯とし、一連の異なる太陽高度角H（Ｈ＝34°〜47°）の直射日光がアーチ形昇降式スラット2の上表面にあるb点の右側順歯の第一歯の歯面に照射して、その中の表示番号がＩ（Ｈ＝34°）、ＩI（Ｈ＝35°）、ＩII（Ｈ＝42°）、ＩＶ（Ｈ＝43°）とＶ（Ｈ＝45°）である太陽光線は、マイクロギヤーの第二歯面5と水平面の夾角がαＨ＝0の時、マイクロギヤーを通じてその前の隣り合っている主スラット1の下表面の順歯または逆歯に偏向されてから、再度室内までに偏向されて、その中に反射光線I’と水平面の夾角が最小とし、約64°くらいであるが、表示番号がVI（Ｈ＝47°）の太陽光線が昇降式スラット2の上表面の内側部分Ｓ42の順歯に偏向されてから、またその前の隣り合っている主スラット1の下表面の外側部分に偏向されて、それから室外に偏向される。マイクロギヤーの第二歯面5と水平面の夾角がαＨ＝-9°の時、表示番号がI（Ｈ＝34°）とII（Ｈ＝35°）の光線だけ室内までに偏向導入されて、I（Ｈ＝34°）と水平面の夾角が82°とし、その他の光線は全部室外までに偏向される。マイクロギヤーの第二歯面5と水平面の夾角がαＨ＝-13°の時、全部の光線はみな室外までに偏向される。図30〜41では、それぞれ室内地面より1.8m以下の2枚組合型昇降式波浪形スラットが異なったαＨの時、異なる太陽高度角H（Ｈ＝35°〜37°）の光線反射の情況を示した。図の中の（b）は、（a）の中でスラットの下表面マイクロギヤーの局部拡大図であり、一連の異なる太陽高度角H（Ｈ＝34°〜37°）の直射日光が波浪形昇降用スラット2の上表面b点の右側順歯の第一歯の歯面に照射され、その光線反射の情況は、上記のアーチ形スラットとまったく同じである。図から分かるように、スラットの下表面マイクロギヤーの第二歯面5と水平面の夾角αＨが-13°から2°に変化する時、室内地面より1.8m以下の昇降用スラット2の上表面の内側部分の順歯に照射した太陽光線が完全に室外までに偏向されることから室内までに偏向されることに変化する。室内に偏向される太陽光線は、それが水平面との夾角が64°の時、1.8mの高さによって計算すると、室内地面の範囲が窓側の壁面距離より約0.9mまでに照射することができる。事務用デスクを壁より0.9m以外のところ��レイアウトすると、この反射光線が室内の暖房として使用できる。図17の中で、2枚組合式スラットより構成したスラット式日よけ、光線導入システムが太陽高度角Ｈ≦βca’の時、昇降用スラット2が二つの主スラット1の中央位置にあることによって、直射日光が昇降用スラット2の下表面に反射されることがあるので、その最適化の改善措置は、2枚組合式スラットの中に再び昇降用スラット3を添加して、それによって3枚組合式スラットを構成することである。（当実施例は、横断面が一字形のものを採用して、その上に分布したマイクロギヤータイプが図10による。）図21の中で図10中のフラットパネル形スラットより構成する3枚組合式スラットが低太陽高度角Hの時、光線回復反射と偏向導入の情況を展示した。その中に（a）と（b）は室内地面より1.8m以上の部分のスラットが低太陽高度角Hの光線に対する回復反射と偏向導入の情況である。両者の区別は、（a）の中に昇降用スラット2と3は、一部の直射日光を室外までに回復反射して、もう一部の直射日光を室内までに偏向導入（外側部分Ｓ31とＳ51に回復反射歯が設置しており、その第二歯面5と水平面の夾角αＨの最適値の計算式がαＨ＝９０°-（βif＋Ｈ）／２、式の中で、Ｈ＝βcf、幅Ｌ1＝Ｌ/3、内側部分Ｓ32とＳ52が平滑面とする。）することにあるが、（b）の中に昇降用スラット2と3は、ほとんど全部の直射日光を室内までに偏向導入する。（c）は室内地面より1.8m以下の部分のスラットが低太陽高度角Hの光線回復反射と偏向導入の情況である。図から分かるように、2枚組合式スラットに現れる冬と夏の太陽高度角20°≦Ｈ≦βca’の時の直射日光が昇降用スラット2の下表面に反射される現象は克服された。図20(a)の中で、室内地面より1.8m以上に応用する回転できる2枚組合式つりあいV形スラットが低太陽高度角Ｈ＝βcfと冬の高太陽高度角H=45°の時、偏向導入した直射日光がその前のスラットの下表面に反射されることを現れる。これは、昇降用スラット2の表面が平滑面（γ１=-5°、γ2=5°）であることによって引起したわけてある。その改善措置の一つは、外側部分を上へ高く持ち上げ、つまりγ１の角度値はすこし小さくなって、内側部分を下へ低く抑えて、つまりγ2の角度値は少し小さくなる。その改善措置の二つは、昇降用スラット2にグレアを発生する箇所にマイクロギヤーを配置する。
【００３５】
春と秋では、最大の太陽高度角Ｈ≧45°、室内地面より1.8m以上、光線導入の効果を起きた回転できない2枚組合型昇降式スラットに一部の直射日光がその前の隣り合っているスラットの内側部分の下表面に偏向されることがある。スラットの下表面は平滑面になると、光線がスラットの下表面を通じて再度下向け偏向されてグレアを発生する。（図33と図36による）このグレアを取り消しようとすると、同じようにスエードまたは上塗りの方法でスラットの下表面を光反射しない表面に処理したり、スラットの下面の内側部分（スラットの内端点cから水平距離Ｌ2＝Ｌ/2の範囲内に至る）にマイクロギヤー（その第二歯面5と水平面の夾角が-63°≦αＨ≦-45°）を設置して、スラットの下表面マイクロギヤーに反射した光線を室外の空中に回復反射し戻す。図33と図36では、それぞれ室内地面より1.8m以上の2枚組合型昇降式アーチ形と波浪形のスラットがその下表面にマイクロギヤーがない場合、スラットの外端点aの異なる太陽高度角H（Ｈ＝45°〜70°）の光線反射の情況を示した。図34と図35では、それぞれ室内地面より1.8m以上の2枚組合型昇降式アーチ形スラットは、その下表面にαＨ＝-45°のマイクロギヤー（回復反射歯）を設置する時、スラットの外端点aとスラットの上表面にある任意の1か所に異なる太陽高度角H（Ｈ＝45°〜70°）の光線反射の情況を示した。図の中で（b）は（a）の中にスラットの下表面マイクロギヤーの局部拡大図である。図に示すように、一連の異なる太陽高度角Hの直射日光は平滑面のアーチ形スラットの上表面の外端点aまたは上表面の任意の1か所に照射して、その中にその表示番号がI（Ｈ＝45°）、II（Ｈ＝50°）であるものは直接に室内までに偏向導入されて、表示番号がIII（Ｈ＝55°）、IV（Ｈ＝60°）、V（Ｈ＝65°）とVI（Ｈ＝70°）の太陽光線はつるつるしているスラットを通じて、その前の隣り合っているスラットの下表面の回復反射歯に偏向されてから、再度室外の空中に反射されたり、再度つるつるしているスラットの上表面に回復反射されて、その後日光方向に沿って室外の空中に戻す。図37と図38では、それぞれ室内地面より1.8m以上の2枚組合型昇降式波浪形スラットがそのスラットの下表面にαＨ＝-45°を設置したり、段階的に異なるαＨ(αＨ＝-45°とαＨ＝-63°)のマイクロギヤー（回復反射歯）を設置する時、外端点aの異なる太陽高度角H（Ｈ＝45°〜70°）の光線反射の情況を示した。図の中で（b）は（a）の中にスラットの下表面マイクロギヤーの局部拡大図である。図に示すように、一連の異なる太陽高度角Hの直射日光は平滑面の波浪形スラットの上表面の外端点aに照射された。波浪形スラットの上表面の外側部分に太陽高度角Ｈ≦45°以下の太陽光線を偏向する逆歯と順歯が設置してあるが、その下表面の内側部分に全部αＨ＝-45°を設置しても、内側部分に段階的にαＨ＝-45°とαＨ＝-63°のマイクロギヤーを設置しても、その光線反射の情況は、上記のアーチ形スラットと同じで、一つの唯一の差別は、いくつかの光線が波浪形のスラットの間で何度も偏向、回復反射されるが、最後に室外までに偏向される。このことから分かるように,スラットの下表面の内側部分にマイクロギヤーを設置するのは、冬の光線導入の効果を起きる2枚組合型昇降式羽を春と秋にも適用させる。
【００３６】
図23では、横断面がフラットパネル形鋸歯のスラットとその上に分布した鋸歯のタイプを示した。その中に図23aは、夏の太陽高度角Ｈ＞βca’に応用する時、室内地面より1.8m以上と以下のスラットである。図23bでは、冬の太陽高度Ｈ＞βca’と冬と夏Ｈ≦βca’に応用する時、室内地面より1.8m以上のスラットである。図23cでは、冬の太陽高度角Ｈ＞βca’と冬と夏の太陽高度角Ｈ≦βca’に応用する時、室内地面より1.8m以下のスラットである。図22aと図22bでは、それぞれ2枚組合型フラットパネル形鋸歯式スラットが太陽高度角H=20°の時、室内地面より1.8m以上と以下の光線回復反射と偏向導入の情況（その他の太陽高度角Hの光線回復反射と偏向導入の情況を示していない。）を示した。以上からも分かるように、加工プロセスの角度から見ると、2枚組合型昇降式スラットは、一面にマイクロギヤーを付いて、別の一面が平滑面であるスラットに製造でき、直接に鋸歯形スラットも製造できる。
【００３７】
以上に述べたのは、本発明の最適化的に選択する実施方式だけである。当技術分野の普通な技術者にとっては、当発明の原理を脱離しない前提のもとで、まだ若干の改善と潤色をもすることができるが、これらの改善と潤色も、当発明の保護範囲と見なすことと指摘すべきである。
【図１ａ】
2013525641.tif 000008
【図１ｂ】
2013525641.tif 000009
【図１ｃ】
2013525641.tif 000010
【図１ｄ】
2013525641.tif 000011
【図２ａ】
2013525641.tif 000012
【図２ｂ】
2013525641.tif 000013
【図２ｃ】
2013525641.tif 000014
【図３ａ】
2013525641.tif 000015
【図３ｂ】
2013525641.tif 000016
【図３ｃ】
2013525641.tif 000017
【図４ａ】
2013525641.tif 000018
【図４ｂ】
2013525641.tif 000019
【図５ａ】
2013525641.tif 000020
【図５ｂ】
2013525641.tif 000021
【図６ａ】
2013525641.tif 000022
【図６ｂ】
2013525641.tif 000023
【図７ａ】
2013525641.tif 000024
【図７ｂ】
2013525641.tif 000025
【図７ｃ】
2013525641.tif 000026
【図８ａ】
2013525641.tif 000027
【図８ｂ】
2013525641.tif 000028
【図８ｃ】
2013525641.tif 000029
【図９ａ】
2013525641.tif 000030
【図９ｂ】
2013525641.tif 000031
【図９ｃ】
2013525641.tif 000032
【図９ｄ】
2013525641.tif 000033
【図１０ａ】
2013525641.tif 000034
【図１０ｂ】
2013525641.tif 000035
【図１０ｃ】
2013525641.tif 000036
【図１０ｄ】
2013525641.tif 000037
【図１０ｅ】
2013525641.tif 000038
【図１０ｆ】
2013525641.tif 000039
【図１１ａ】
2013525641.tif 000040
【図１１ｂ】
2013525641.tif 000041
【図１１ｃ】
2013525641.tif 000042
【図１１ｄ】
2013525641.tif 000043
【図１２ａ】
2013525641.tif 000044
【図１２ｂ】
2013525641.tif 000045
【図１２ｃ】
2013525641.tif 000046
【図１２ｄ】
2013525641.tif 000047
【図１３ａ】
2013525641.tif 000048
【図１３ｂ】
2013525641.tif 000049
【図１３ｃ】
2013525641.tif 000050
【図１３ｄ】
2013525641.tif 000051
【図１４ａ】
2013525641.tif 000052
【図１４ｂ】
2013525641.tif 000053
【図１４ｃ】
2013525641.tif 000054
【図１４ｄ】
2013525641.tif 000055
【図１５】
2013525641.tif 000056
【図１６】
2013525641.tif 000057
【図１７ａ】
2013525641.tif 000058
【図１７ｂ】
2013525641.tif 000059
【図１７ｃ】
2013525641.tif 000060
【図１７ｄ】
2013525641.tif 000061
【図１８】
2013525641.tif 000062
【図１９】
2013525641.tif 000063
【図２０】
2013525641.tif 000064
【図２１】
2013525641.tif 000065
【図２２】
2013525641.tif 000066
【図２３ａ】
2013525641.tif 000067
【図２３ｂ】
2013525641.tif 000068
【図２３ｃ】
2013525641.tif 000069
【図２４ａ】
2013525641.tif 000070
【図２４ｂ】
2013525641.tif 000071
【図２４ｃ】
2013525641.tif 000072
【図２５】
2013525641.tif 000073
【図２６】
2013525641.tif 000074
【図２７ａ−２７ｂ】
2013525641.tif 000075
【図２８ａ−２８ｂ】
2013525641.tif 000076
【図２９ａ−２９ｂ】
2013525641.tif 000077
【図３０ａ−３０ｂ】
2013525641.tif 000078
【図３１ａ−３１ｂ】
2013525641.tif 000079
【図３２ａ−３２ｂ】
2013525641.tif 000080
【図３３】
2013525641.tif 000081
【図３４】
2013525641.tif 000082
【図３５ａ−３５ｂ】
2013525641.tif 000083
【図３６】
2013525641.tif 000084
【図３７ａ−３７ｂ】
2013525641.tif 000085
【図３８ａ−３８ｃ】
2013525641.tif 000086
【手続補正書】
【提出日】平成24年12月27日(2012.12.27)
【手続補正１】
【補正対象書類名】明細書
【補正対象項目名】全文
【補正方法】変更
【補正の内容】
【発明の詳細な説明】
【技術分野】
【０００１】
当出願は、2010年4月30日に中国特許管理局に提出された、出願番号が201010162501.1で、発明の名称が「多枚組合型昇降式スラット」である中国特許出願の優先権であり、その全部内容が引用を通じて、当出願の中に結合されているものである。
【０００２】
当発明は、スラット式日よけ、光線導入システムのスラット構造に関連して、さらに具体的に言えば、多枚組合型昇降式スラットに関連するものである。
【背景技術】
【０００３】
周知のように、ブラインドは、窓の近くにいつも多すぎる直射日光を導入したので、隣り合っている窓所にグレヤ、室内過熱を発生させるが、室内の奥所にまた十分な光線が不足である。大型の事務室に均一な自然な光線を分布しようとすると、現行の市場に流行しているブラインドにとっては不可能なことである。光線と熱を低下するためには、必ず日よけをしなければならない。そうすると、事務室が暗すぎることによって、晴れている日で人工照明を使って事務室の運行を維持する必要がある。絶えず上昇しているエネルギーの価格以外、このような結果も、人々の快適性と仕事の能率を下げた。そのため、人々が重点的にスラット式日よけ、光線導入システムに発展させている。このような新しい日よけ、光線導入システムは、伝統的なブラインドのノングレアと過熱防止機能を維持するほか、日光の照明機能も増加した。これは、部屋に均一的な日光照明を獲得させることができて、冬にまだ日光を利用し暖房として、暖房費を下げることができる。
【０００４】
普通、スラット式日よけ、光線導入システムは、上部、下部という二つの部分（通常、上部と下部の境目には、一人の身長を基準とし、欧米の設定が1.9mで、アジアでこの基準を1.8mに設定するのが適切とする。）に分けることができて、この二つの部分のスラットの傾斜度が関連するものもできれば、独立のものもできる。通常、下部のスラットがノングレアと過熱防止の形に設計できるが、上部のスラットが光線を室内の奥所に導入するものに設計できる。設計費用の増加のほか、このようなシステムにも一つの欠点がある。これは、二つの部分の境目とノングレア及び光線の利用もすべて事前に設定したもので、使用者、季節と職場の具体的な照明状況によって調節したものではない。
【０００５】
室内照明は、季節、太陽の位置と空の状況（曇りがち、または晴れ渡っている）のいくつかの要素にとりかかるだけではなくて、また人々が従事する職業の種類、身長、窓からの作業位置の遠近などのような仕事の条件にとりかかる。明らかに、建築師と建築照明師より確定されたスラット式日よけ、光線導入システムは、上記のすべての要求を満足することができなくて、それらの間の１つの妥協しかないと分かる。もう一つの問題は、違う場所で違うスラット部分を配置するようにして、設計費用とスラット式日よけ、光線導入システムの価格を大いに増加するものである。
【０００６】
ヨーロッパの特許（EP0400662B1）は、一種類の日よけ式スラットを公開した。このスラットは、外側のスラットと内側のスラットとの二つの部分から構成したもので、外側のスラットは、内側のスラットとの境目線を回転軸として、内外側のスラットの回転は、それぞれスラットにつながっている縄を通じて制御する。外側のスラットは、需要によってある角度に回転させて、太陽の直射光線を室外までに阻止できて、内側のスラットは、需要によってある角度に回転させて、太陽の直射光線を照明の用途として室内までに導入できる。ドイツの特許（DE29814826U1）は、ヨーロッパの特許（EP0400662B1）のスラットの基礎の上、改善を行って、スラットのブラケットを一本増加させた。このブラケットは、二枚のフィルム製蝶番と一つの人造繊維の蝶番より構成されて、二つの蝶番の形状は、それぞれ日よけ式スラットの二つの部分の弧度の形状と一致して、それによってそれぞれ日よけ式スラットの二つの部分と一体に貼り付けることができて、日よけ式スラットの二つの部分を境目所に回転して折り返すことができる。そうすると、さらに縄での制御に便利する。ドイツの特許（DE10147523A1）は、ヨーロッパの特許（EP0400662B1）のスラットの縄制御機構に対して改善を行って、さらに優れている日よけ式スラットの縄制御機構を獲得した。しかし、これらの特許は、みな組合式スラットより構成したブラインドの透視率、直射日光への回復反射と偏向導入、及び実際的な需要によって相応的、最適な調整制御に対して考慮していない。
【０００７】
ヨーロッパの特許（EP1212508B1）は、いくつかの表面に歯をつけるものやつけないものの違う形状のスラットを公開して、その中に歯付きアーチ形スラットとW形スラットは、直射日光の回復反射と導入及びスラット式日よけ、光線導入システムの透視率の面で各自の優れている特性を表現して、W形スラットより構成したスラット式日よけ、光線導入システムの透視率が74%まで達することができて、歯付きアーチ形スラットより構成したスラット式日よけ、光線導入システムの透視率が88%まで達することができる。しかし、これらのスラットより構成したスラット式日よけ、光線導入システムには、上記の季節交換と具体的な需要の問題を解決できないことが存在している。その他、低太陽高度角の時、スラット式日よけ、光線導入システムがもっと高い透視率を維持し、もっと多い日光を導入して室内照明として使う時、グレアの発生を防止することができないため、スラットをクローズする必要がある。
【発明の概要】
【発明が解決しようとする課題】
【０００８】
当発明が解決しようとする技術問題点は、多枚組合型昇降式スラットを提供して、それは、スラット式日よけ、光線導入システムの高透視率に達して、室内の均一な日光照明度を獲得して、そして室内にグレア、夏の過熱を避け、及び冬にもっと多いソーラーを獲得して室内暖房として使用するために、季節と天気の状況及び人々の実際的な需要によって直射日光への回復反射と偏向導入に対してフレキシブルな、最適な調整制御を行うことができる。
【０００９】
当発明に採択する技術案は、具体的に次のようになる。
一種類の多枚組合型昇降式スラットは、その特徴は次のようになる。主スラットと昇降用スラットを含んでおり、昇降用スラットが幅方向に沿う横断面の形状と、主スラットの幅方向に沿う横断面の形状が同じで、昇降用スラットが主スラットの上表面または下表面に緊密に貼っており、昇降用スラットが昇降機関の駆動のもとで主スラットにも従って一緒に昇降でき、主スラットにも相応して昇降運動を行うことができる,上記の主スラットの上表面に部分または全部にマイクロギヤーを設置している,上記の昇降用スラットの上表面の部分または全部にマイクロギヤーを設置している。
【００１０】
上記の昇降用スラットに２枚あり、２枚昇降用スラットが順次に主スラットの上表面または下表面に緊密に貼りつけている,上記の昇降用スラットの上表面の部分または全部にマイクロギヤーを設置している。
【００１１】
上記の多枚組合型昇降式スラットには、まだ日よけ用スラットを設置しており、そのスラットは、スライドすることができるように主スラットの下表面に取付けられて、そして主スラットの下表面に集めて、冬と夏に低太陽高度角の時、日よけ用スラットは収めて、下に向いて展開されて、一部の直射日光を室外までに阻止または回復反射できる。
【００１２】
上記の主スラットは、その幅方向に沿う横断面がV形または一字形またはアーチ形または波浪形である。
【００１３】
上記の主スラットと昇降用スラットは、みな回転できるスラットである。
【００１４】
上記の主スラットは、折り畳み式スラットである。
【００１５】
上記の主スラットは、鋸歯形スラットである。
【００１６】
上記のマイクロギヤーは、回復反射歯であり、互いに垂直の二つの隣り合っている第一歯面と第二歯面、直射日光に対して回復反射の効果を起きた回復反射歯の第二歯面と水平面の夾角αＨの変化範囲は、９０°−（βia’＋Ｈ）／２≦αＨ≦９０°−（βia＋Ｈ）／２で確定でき、その中Hは、太陽高度角で、βia’は、スラットの上表面にある任意の点iとその前の隣り合っているスラットの下表面の外端点の接続線及びスラットの外側水平面の夾角であり、βiaは、スラットの上表面にある任意の点とスラットの上表面の外端点の接続線とスラットの外側水平面の夾角とする。
【００１７】
上記のマイクロギヤーは、順歯または逆歯であり、互いに垂直の二つの隣り合っている第一歯面と第二歯面を含んでおり、直射日光に対して偏向導入の効果を起きた順歯または逆歯の第二歯面と水平面の夾角αＨの変化範囲は、（βic−Ｈ）/２≦αＨ≦βic’−Ｈ）／２で確定でき、その中にHは太陽高度角で、βicは、スラットの上表面にある任意の点とスラットの上表面の内端点の接続線とスラットの内側水平面の夾角であり、βic’は、スラットの上表面にある任意の点とその前の隣り合っているスラットの下表面の内端点の接続線とスラットの内側水平面の夾角である。
【発明の効果】
【００１８】
当発明の起きた効果は、横断面が任意の形状である多枚組合型昇降式スラットより構成された各種のスラット式日よけ、光線導入システムがみな季節変換と人々の具体的な需要によって直射日光の回復反射と偏向導入量を制御する最適化に達することができる。夏と冬に日光に対する需要の対立が克服されたと同時に、太陽高度角が高いでも低いでも、そのシステムは、とても高い透視率を維持して、人々と窓外景色との視覚交流の需要を満足させて、従来のスラット式日よけ、光線導入システムに比べて、当システムには、日光に対する自己適応性があって、一日の中でスラットの操作回数は、ただ二回だけあるので、伝統的なスラットでは絶えずそのスラットを回して太陽高度角の変化とスラットのインテリジェント化コントロールの煩いを取り除いた。
【図面の簡単な説明】
【００１９】
【図１】a〜dは、横断面が波浪形スラットの幾何構造とそれぞれの角度及びサイズの定義である。
【図２】a〜ｃは、横断面が波浪形の2枚組合式スラット（室内地面より1.8m以上）が異なる太陽高度角の区域に対する対応状況のスラットの互い関係と直射日光反射のイメージ図である。
【図３】a〜ｃは、横断面が波浪形の2枚組合式スラット（室内地面より1.8m以下）が異なる太陽高度角の区域に対する対応状況のスラットの相互関係と直射日光反射のイメージ図である。
【図４】a〜dは、横断面が波浪形の日よけ機構付き2枚組合式スラットが異なる太陽高度角の区域に対する対応状況のスラットの相互関係と直射日光反射のイメージ図である。
【図５】ａ〜ｂは、横断面が波浪形の回転できる2枚組合式スラットが異なる太陽高度角の区域に対する対応状況のスラットの相互関係と直射日光反射のイメージ図である。
【図６】ａ〜ｂは、横断面が波浪形の、主スラットが折り畳むことができる2枚組合式スラットが異なる太陽高度角の区域に対する対応状況のスラットの相互関係と直射日光反射のイメージ図である。
【図７】ａ〜ｃは、横断面が波浪形の3枚組合式スラット（室内地面より1.8m以上）が異なる太陽高度角の区域に対する対応状況のスラットの相互関係と直射日光反射のイメージ図である。
【図８】ａ〜ｃは、横断面が波浪形の3枚組合式スラット（室内地面より1.8m以下）が異なる太陽高度角の区域に対する対応状況のスラットの相互関係と直射日光反射のイメージ図である。
【図９】ａ〜ｄは、直射日光に対して回復反射と偏向導入の効果を起きた曲面上のマイクロギヤーのすくい角の定義である。
【図１０】a〜fは、横断面がフラットパネル形スラットの表面マイクロギヤーのタイプと分布である。
【図１１】a〜dは、横断面がつりあいV形スラットの表面マイクロギヤーのタイプと分布である。
【図１２】a〜dは、横断面がアーチ形スラットがそれぞれの太陽高度角の区域にある表面マイクロギヤーの分布である。
【図１３】a〜dは、横断面が波浪形スラットの表面マイクロギヤーのタイプと分布である。
【図１４】a〜dは、横断面がV形スラットの表面マイクロギヤーのタイプと分布である。
【図１５】横断面がアーチ形スラットのストリングハイトh、弦長Lと弧上の接線角θiの定義である。
【図１６】横断面が波浪形スラットのストリングハイトh、弦長Lと弧上の接線角θiの定義である。
【図１７ａ】2枚組合型つりあいV形スラット衣愚（γ１＝−５°，γ２＝５°）が夏と冬に異なる太陽高度角Hでの光線回復反射と偏向導入状況である。
【図１７ｂ】2枚組合型つりあいV形スラット衣愚（γ１＝−５°，γ２＝５°）が夏と冬に異なる太陽高度角Hでの光線回復反射と偏向導入状況である。
【図１７ｃ】2枚組合型つりあいV形スラット衣愚（γ１＝−５°，γ２＝５°）が夏と冬に異なる太陽高度角Hでの光線回復反射と偏向導入状況である。
【図１７ｄ】2枚組合型つりあいV形スラット衣愚（γ１＝−５°，γ２＝５°）が夏と冬に異なる太陽高度角Hでの光線回復反射と偏向導入状況である。
【図１８】a〜bは、主スラットが折り畳み可とする2枚組合型つりあいV形スラット（γ１＝−５°，γ２＝５°）が太陽高度角H=20°の時、室内地面より1.8m以上と以下の光線回復反射と偏向導入状況である。
【図１９】a〜bは、日よけ用スラット付き2枚組合型フラットパネル形スラットが太陽高度角H=20°の時、室内地面より1.8m以上と以下の光線回復反射と偏向導入状況である。
【図２０】a〜bは、回転できる2枚組合型つりあいV形スラット（γ１＝−５°，γ２＝５°）が太陽高度角H=20°の時、室内地面より1.8m以上と以下の光回復反射と偏向導入状況である。
【図２１】a〜cは、3枚組合型フラットパネル形スラットが低太陽高度角Hの光線回復反射と偏向導入状況である。
【図２２】a〜bは、日よけ用スラット付き2枚組合型フラットパネル形鋸歯スラットが太陽高度角H=20°の時、室内地面より1.8m以上と以下の光線回復反射と偏向導入状況である。
【図２３】a〜cは、横断面がフラットパネル形鋸歯付きスラットの鋸歯の分布とタイプである。
【図２４】a〜cは、日よけ用スラットと2枚組合式スラットの三つのヒンジで連結する位置図である。
【発明を実施するための形態】
【００２０】
図1a〜d、横断面（幅方向に沿って）が波浪形スラットの幾何構造とそれぞれの角度とサイズの定義を示した。その中にスラットが主スラット（1）または昇降用スラットである。Ｌがスラットの幅、つまりスラットの外端点aと内端点cの水平距離である。Ｄが隣り合っている二つのスラットのピッチ、つまり隣り合っている二つのスラットの内端点ｃの垂直距離である。最適化の選択として、隣り合っている二つのスラットのピッチDとスラットの幅Lの最適比が0.7とし、hがスラットの水平放置時の最高点cと最低点a’の垂直距離で、
（外１）
2013525641.tif 000087
がスラット式日よけ、光線導入システムの透視率
（外２）
2013525641.tif 000088
で、図中の矢印点線枠で表示する。スラットの上表面にある点b（b点の選取は、別紙の実施例による）とスラットの外端点aとの水平距離がＬ1で、スラットの内端点cの水平距離がＬ2である。図1a中にβca’がスラットの上表面の内端点cとその前に隣り合っているスラットの下表面の外端点a’の接続線とスラットの外側水平面の夾角である。βia’がスラットの上表面にある任意の点iとその前に隣り合っているスラットの下表面の外端点a’の接続線とスラットの外側水平面の夾角である。βiaがスラットの上表面にある任意の点iとスラットの上表面の外端点aの接続線とスラットの外側水平面の夾角である。βixがスラットの上表面にある任意の点iの反射光線と水平面の夾角である。図1bの中に、βic’がスラットの上表面にある任意の点iとその前に隣り合っているスラットの下表面の外端点c’の接続線とスラットの内側水平面の夾角である。βicがスラットの上表面にある任意の点iとスラットの上表面の内端点ｃの接続線とスラットの内側水平面の夾角である。図1cの中に、βcfはスラットの上表面の内端点ｃと日よけ用スラットが完全に展開された後の自由端fの接続線とスラットの外側水平面の夾角である。βifはスラットの上表面にある任意の点iと日よけ用スラット4が完全に展開された後の自由端fの接続線とスラットの外側水平面の夾角である。図1dの中に、βcfは昇降用スラット2が二つの主スラット1の中央位置までに降ろされた時、主スラット1の上表面の内端点ｃと昇降用スラット2の下表面の外端点fの接続線と主スラット1の外側水平面の夾角である。
【００２１】
図2と図3では、それぞれに横断面が波浪形2枚組合式スラットが異なる太陽高度角H（太陽高度角とは、日光の入射方向と水平面との夾角を指す。）の区域に対する対応状況のスラット相互間の関係と直射日光の反射イメージ図を示した。三つの異なる太陽高度角の区域区分は、夏の太陽高度角Ｈ＞βca’、冬の太陽高度角Ｈ＞βca’と冬と夏の太陽高度角Ｈ≦βca’に分けられている。図2は、室内地面より1.8m以上部分のスラットであり、図3は、室内地面より1.8m以下部分のスラットである、図の中の（a）は、夏の太陽高度角Ｈ＞βca’の直射日光の反射とスラットとの関係、つまりスラットが直射日光に対して回復反射する時発生した反射光線とスラットの外側水平面の夾角βixは、(βia＋Ｈ)/２≦βix≦(βia’＋Ｈ)/２の条件を満足しなければならない。図の中の（b）は、冬の太陽高度角Ｈ＞βca’の直射日光の反射とスラットとの関係、つまりスラットが直射日光に対して偏向導入を行って発生した反射光線とスラットの内側水平面の夾角βixは、90°＋(βic−Ｈ)/２≦βix≦90°＋(βic’−Ｈ)/２の条件を満足しなければならない。図の中の（c）は、冬と夏の太陽高度角Ｈ≦βca’の直射日光の反射とスラットとの関係、つまりスラットの外側部分が直射日光に対して回復反射する時発生した反射光線とスラットの外側水平面の夾角βixは、(βia＋Ｈ)/２≦βix≦(βif＋Ｈ)/２の条件を満足しなければならない。内側部分が直射日光に対して偏向導入する時発生した反射光線とスラットの外側水平面の夾角βixは、90°＋(βic−Ｈ)/２≦βix≦90°＋(βic’−Ｈ)/２の条件を満足しなければならない。上記に示した冬と夏の太陽高度角Ｈ≦βca’を処理する直射日光が反射される時、スラット間の関係以外、図4と図6には、またその他の3種類の処理方式を示して、別々に日よけ機構（図4による）を展開して、スラット（図5による）を回転させて、または主スラットの折り畳み部分（図6による）を回転させて、その中に（a）は、室内地面より1.8m以上部分のスラットであり、（b）は室内地面より1.8m以下部分のスラットである。図2と図3に対応する図7と図8には、それぞれ横断面が波浪形である3枚組合式スラットの中に、各スラットが三つの異なる太陽高度角H区域に対する対応状況のスラット間の相互関係と直射日光反射のイメージ図を示した。
【００２２】
図2と図3によって、2枚組合型昇降式スラットは、主スラット1、昇降用スラット2及びスラットの昇降を駆動する機構（図の中に示していない）より構成したものである。主スラット1が幅方向に沿う横断面の形状が波浪形、V形、一字形（フラットパネル形）とアーチ形等その他の任意の形状になることができる。主スラット1と昇降用スラット2の上表面は平滑面でもいい、マイクロギヤー（より小さい鋸歯）付き反射光面でもいい。（図9〜図14による）下表面は、マイクロギヤー付かない逆光面である。当実施例の中に主スラット1は、回転することができないが、昇降できる。昇降用スラット2の横断面の形状（幅方向に沿って）は、主スラット1の横断面の形状（幅方向に沿って）と同じで、普通、主スラット1の上表面と下表面に緊密に貼っており、主スラット1にも従って一緒に昇降でき、主スラット1にも対応して昇降運動を行うことができる。夏に高太陽高度角H（太陽高度角Ｈ＞βca’）の時、昇降用スラット2が主スラット1の下表面に緊密に貼っており、主スラット1の上表面のマイクロギヤーがそれに照射した直射日光を室外までに回復反射する。冬の高太陽高度角H（太陽の高度角Ｈ＞βca’）の時、昇降用スラット2がその前の主スラット1の下表面から次の隣り合っている主スラットの上表面までに降ろされて、スラットの上表面マイクロギヤーに照射した全部直射日光を室内までに偏向導入したり、一部の直射日光を室外までに回復反射して、もう一部の直射日光を室内までに偏向導入する。冬と夏の低太陽高度角(Ｈ≦βca’)の時、昇降用スラット2が二つの主スラット1の中央位置に降ろされて、スラットの上表面マイクロギヤーに照射した一部の直射日光を室外までに回復反射でき、もう一部の直射日光を室内までに偏向導入できたり、全部の直射日光を室内までに偏向導入できる。
【００２３】
図7と図8によって、３枚組合型昇降式スラットは、2枚組合式スラットに対する改善したものであるが、2枚組合型昇降式スラットの構造と違うところは、その昇降用スラットが2枚あることにある。昇降用スラット2と3が順次に主スラット1の上表面または下表面に緊密に貼っており、主スラット1にも従って一緒に昇降できて、主スラット1にも対応して昇降運動を行うことができる。夏の高太陽高度角H（太陽高度角Ｈ＞βca’）の時、昇降用スラット2と3が主スラット1の下表面に緊密に貼っており、主スラット1の上表面マイクロギヤーがそれに照射した直射日光を室外までに回復反射する。冬の高太陽高度角H（太陽高度角Ｈ＞βca’）の時、昇降用スラット2がその前の主スラット1の下表面から次の隣り合っている主スラット1の上表面までに降ろされて、スラットの表面マイクロギヤーに照射した直射日光を室内までに偏向導入したり、一部の直射日光を室外までに回復反射して、昇降用スラット3が依然として主スラット1の下表面に緊密に貼っている。冬と夏の低太陽高度角Ｈ≦βca’の時、昇降用スラット2が次の主スラット1に降ろされて、昇降用スラット3が二枚の主スラット間の中央位置に降ろされて、二つの主スラットの間を2等分分けて、スラットの上表面マイクロギヤーに照射した一部の直射日光を室外までに回復反射できて、もう一部の直射日光を室内までに偏向導入したり、全部の直射日光を室外までに回復反射する。
【００２４】
図4に示したのは、日よけ機構付き2枚組合型昇降式スラットである。2枚組合型昇降式スラットの構造と違うところは、主スラット１、昇降用スラット２と日よけ機構４のような日よけ機構を持つことにある。日よけ機構４は、日よけ用スラット４のため、日よけ用スラット４が幅方向に沿う横断面形状は、主スラット1にマッチングして、回転できるフラットパネル形スラットまたはアーチ形スラットが設計できる。反射光面が平滑面またはマイクロギヤー付き面であり、日よけ用スラット４が移動的に主スラット1の背面（つまり下表面）の任意の1か所に設置されて。主スラット1が昇降できるが、回転できなくて、昇降用スラット2の横断面の形状が主スラット1の横断面の形状と同じ、普通は、日よけ機構の表面に緊密に貼っており、主スラット1にも従って一緒に昇降でき、主スラットにも対応して昇降運動を行うことができる。夏の高太陽高度角H（太陽高度角Ｈ＞βca’）の時、昇降用スラット2が主スラット1の下表面に緊密に貼っており、主スラット1の上表面のマイクロギヤーがそれに照射した直射日光を室外までに回復反射して、この時、日よけ用スラット4が主スラット1の下表面に収まる。冬の高太陽高度角H（太陽高度角Ｈ＞βca’）の時、昇降用スラット2がその前の主スラットの下表面から次の隣り合っている主スラット1の上表面までに降ろされて、スラットの上表面マイクロギヤーに照射した直射日光の一部または全部を室内までに偏向導入する。この時、日よけ用スラット4が主スラット1の下表面に収まる。冬と夏に低太陽高度角（太陽高度角Ｈ≦βca’）の時、日よけ用スラット4が展開され、一部の直射日光を室外までに阻止したり、回復反射すると同時に、昇降用スラット2が主スラット1の上表面までに降ろされて、スラットの上表面マイクロギヤーに照射した一部の直射日光を室外までに回復反射して、もう一部の直射日光を室内までに偏向導入したり、全部の直射日光を室内までに偏向導入する。
【００２５】
図24は、日よけ用スラット4と2枚組合式スラットの3枚のヒンジで連結する位置図、つまり主スラット1の外端点、中点と内端点を示した。以上からも分かるように、異なる場所にスラットの応用状況によって違うヒンジで連結する位置の日よけ用スラットを配置できる。
日よけ用スラット4の横断面の幅は、太陽高度角Ｈ＝βcfの直射日光より確定にされて、通常、太陽高度角Hが20°〜35°範囲内の直射日光を阻止できることを考慮する。このところにβcf＝２０°を取って、この時、スラット1の内端点cから主スラット１とβcfになる直線を入れて、その前の主スラット１の前端点a’から上記の直線の垂直線を入れて、その一つの交点fを獲得し、その前の主スラット１の前端点a’からこの交点fまでの距離dが日よけ用スラット４の横断面の幅とする。（図1による）
日よけ用スラット4の反射光面は、平滑面または光線の回復反射の効果を起きるマイクロギヤーである。（図24による）
図5に示しているのは、回転できる2枚組合型昇降式スラットである。それが2枚組合型昇降式スラットの構造と違うところは、主スラット1と昇降用スラット2が昇降できるだけでなく、回転することができる。しかも同様に主スラット1と昇降用スラット2の構造を含んでいることにある。当実施例の中に、主スラット1と昇降用スラット2の上表面は、マイクロギヤー付き反射光面であり、下表面は、マイクロギヤー付かない逆光面である。昇降用スラット2の横断面（幅方向に沿って）の形状は、主スラット1の横断面の形状と同じ、普通は、主スラット1の上表面または下表面に緊密に貼っており、主スラット1に従って一緒に昇降、回転して、スラットの回転角が
（外３）
2013525641.tif 000089
で表示する。夏の高太陽高度角H（太陽高度角Ｈ＞βca’）の時、昇降用スラット2が主スラット1の下表面に緊密に貼っており、主スラット1の上表面のマイクロギヤーがそれに照射した直射日光を室外までに回復反射する。冬の高太陽高度角H（太陽高度角Ｈ＞βca’）の時、昇降用スラット2がその前の主スラット1の下表面から次の主スラット1の上表面までに降ろされて、スラットの上表面マイクロギヤーに照射した全部の直射日光を室内までに偏向導入したり、一部の直射日光を室外までに回復反射して、もう一部の直射日光を室内までに偏向導入する。冬と夏に低太陽高度角（太陽高度角Ｈ≦βca’）の時、昇降用スラット2がその前の主スラット1の下表面から次の主スラット1の上表面までに降ろされて、日光を室内までに直射できなくて、グレアを発生できないように主スラット１に従って一緒に水平位置からある角度
（外４）
2013525641.tif 000090
までに回転する。それによって、スラットの上表面マイクロギヤーに照射した全部の直射日光を室内までに偏向導入したり、一部の直射日光を室外までに回復反射して、もう一部の直射日光を室内までに偏向導入する。
【００２６】
図6によって、主スラットが折り畳み2枚組合型昇降式スラットと2枚組合型昇降式スラットの構造と違うところは、主スラット1が折り畳みスラットであることにあって、主スラット1が互いにヒンジで連結する内外スラットより構成できて、しかも同様に主スラット1と昇降用スラット2の上表面は、マイクロギヤー付き反射光面であり、その下表面は、マイクロギヤー付かいない逆光面である。昇降用スラット2の横断面（幅方向に沿って）の形状は、主スラット1の横断面の形状と同じ、普通は、主スラット1の上表面または下表面に緊密に貼っており、主スラット1に従って一緒に昇降する。夏の高太陽高度角H（太陽高度角Ｈ＞βca’）の時、昇降用スラット2が主スラット1の下表面に緊密に貼っており、主スラット１の上表面マイクロギヤーがそれに照射した直射日光を室外までに回復反射する。冬と夏に高太陽高度角H（太陽高度角Ｈ＞βca’）または冬と夏に低太陽高度角H（太陽高度角Ｈ≦βca’）の時、昇降用スラット2がその前の主スラット1の下表面から次の主スラット1の上表面までに降ろされて、スラットの上表面マイクロギヤーに照射した全部直射日光を室内までに偏向導入したり、一部の直射日光を室外までに回復反射して、もう一部の直射日光を室内までに偏向導入する。この時、主スラット1の外側スラットが直射日光の状況によって下向け回転するので、日よけ機構の効果を起きている。
【００２７】
スラットの表面上のマイクロギヤーの歯面が起きた効果は、2種類に分けられる。1種類は、直射日光に対して回復反射する。もう１種類は、直射日光に対して偏向導入する。図9（a）〜（d）は、直射日光に対して回復反射と偏向導入の効果を起きた曲面形スラット上のマイクロギヤーの幾何構造とすくい角の定義を示した。図9（a）は、任意の曲面形スラット上に直射日光に対して回復反射の効果を起きたマイクロギヤの幾何構造と角度の定義（回復反射歯という）を示した。図9（b）は、任意の垂直的な曲面形スラット上に直射日光に対して回復反射の効果を起きたマイクロギヤー（回復反射歯という）の幾何構造及び角度の定義を示した。図9（c）は、任意の曲面形スラット上に直射日光に対して偏向導入の効果を起きたマイクロギヤー（順歯という）の幾何構造と角度の定義を示した。図9（d）は、任意の曲面形スラット上に直射日光に対して偏向導入の効果を起きたマイクロギヤー（逆歯という）の幾何構造及び角度の定義を示した。各種のマイクロギヤーは、スラット表面の幅方向に沿う歯の幅pが等しくて、歯山が同じスラットの表面上にあって、マイクロギヤーの二つの隣り合っている第一歯面6と第二歯面5と互いに垂直的にして、直射日光に対して回復反射の効果を起きた曲面形スラット上の回復反射歯の第二歯面5と水平面の夾角αHの変化範囲は、90°＋(βia’＋Ｈ)/２≦αH≦90°−(βia＋Ｈ)/２で確定でき、直射日光に対して偏向導入の効果を起きた曲面形スラット上の順歯または逆歯の第二歯面5と水平面の夾角αHの変化範囲は、(βic−Ｈ)/２≦αH≦(βic’−Ｈ)/２で確定できて、その中にHが太陽高度角である。回復反射歯の効果は、その第二歯面5上に照射した直射日光が偏日光入射方向のある角度に沿って室外の空までに反射し戻したり、マイクロギヤーの第二歯面5上に照射した直射日光を第一歯面6までに偏向したり、マイクロギヤーの第一歯面6上に照射した直射日光を第二歯面5までに偏向してから、再度日光入射方向に沿って室外の空までに反射して戻し、日光をスラットに止まって熱量に転化させないことによって、日よけの効果を起きる。普通は、夏の高太陽高度角H（太陽高度角Ｈ＞βca’）の直射日光への対応に用いる。順歯の第二歯面5の幅が第一歯面6の幅よりずっと大きくて、その効果は、その第二歯面5上に照射した直射日光を室内までに偏向導入して、日光照明と暖房（第一歯面6が普通、日光に照射されて着くことはできない）として使うので、順歯では、普通、冬の高太陽高度角H（太陽高度角Ｈ＞βca’）または冬と夏の低太陽高度角H(太陽高度角Ｈ≦βca’)の直射日光に対応する。逆歯の第二歯面5の幅は、第一歯面6の幅よりずっと大きくて、二つの歯面は、直射日光に対して、完全に異なる効果を起きて、第二歯面5に照射した一部の直射日光が室内までに偏向導入されて、一部の直射日光が第一歯面6までに偏向されてから、再度第一歯面6に日光入射方向に沿って室外の空までに反射され戻る。逆歯は、その前の隣り合っているスラットの内端点c’の下表面に反射されないように普通、冬の最大の太陽高度角H（普通は、この時の太陽高度角がＨ＝45°を考えられる。）の直射日光を偏向することに用いる。異なる季節、異なる太陽高度角の直射日光に対応するために、スラットの上表面を多種の形に処���する。１．全部は平滑面（この時、b点がスラットの幅方向に沿う中点である）である。2.一部は、平滑面であり、一部は、歯付き部分である。（例えば、その前の一部が逆歯であり、後の一部が平滑面である。この時、b点が逆歯と平滑面の境目点である。）3.一部は、1種類のマイクロギヤーであり、もう一部は、別のマイクロギヤーである。（例えば、その前の一部が回復反射歯であり、後の一部が順歯である。この時、b点が回復反射歯と順歯との境目点である）4.全部は、1種類のマイクロギヤーである。（例えば、全部は、回復反射歯である。この時、b点がスラットの幅方向に沿う中点である。）
横断面が任意形状の組合型昇降式スラットが三つの異なる太陽高度角の区域に対応して、その表面には、異なるマイクロギヤーがあって、主スラット全体1、昇降用スラット全体2と3の表面をSで表示で、Sで奇数の下付き文字をプラスして室内地面より1.8m以上のスラットを表して、Sで偶数の下付き文字をプラスして室内地面より1.8m以下のスラットを表すと、室内地面より1.8m以上の主スラット1の上表面をS1とし、室内地面のより1.8m以下の主スラット1の上表面をS2とし、室内地面より1.8m以上の昇降用スラット2の上表面をS3とし、室内地面より1.8m以下の昇降用スラット2の上表面をS4とし、室内地面より1.8m以上の昇降用スラット3の上表面をS5とし、室内地面より1.8m以下の昇降用スラット3の上表面をS6とし、再度スラットをb点で内側と外側の2部分に分けて、Sの第二位の奇数の下付き文字1で外側部分を表示して、その幅は、スラットの外端点aよりの距離Ｌ1で表示して、Sの第二位の偶数の下付き文字2で内側部分を表示して、その幅は、スラットの内端点cよりの距離Ｌ2で表示する。図10がフラットパネル形スラットの上表面のマイクロギヤーのタイプと分布状況を示した。その中の（a）は、夏の太陽高度角Ｈ＞βca’、室内地面より1.8m以上の主スラット1に用いる。その上表面S1が回復反射歯付きであり、回復反射歯の第二歯面5と水平面の夾角αＨの最適値の計算式は、αＨ＝90°−（βia’＋Ｈ）／２で、式の中、Ｈ=βca’である。（b）は冬の太陽高度角Ｈ＞βca’または冬と夏の太陽高度角Ｈ≦βca’に用いる。室内地面より1.8m以上の昇降用スラット2は、その上表面の外側部分S31が逆歯付きである。それによって冬の最大の太陽高度角H（Ｈ＝45°)の直射日光がその前の隣り合っているスラットの内端点c’の近くの下表面に偏向できない。マイクロギヤーの第二歯面5と水平面の夾角αＨの最適値の計算式は、αＨ＝（βix−Ｈ）／２、まだ（βic−Ｈ）／２≦αＨ≦（βic’−Ｈ）／２であり、式の中に、Ｈ＝45°、幅Ｌ1＝0〜Ｌであり、その内側部分Ｓ32が平滑面とする。（c）は夏の太陽高度角Ｈ＞βca’、室内地面より1.8m以下の主スラット1に用いる。その上表面Ｓ21、Ｓ22に回復反射歯付き、回復反射歯の第二歯面5と水平面の夾角αＨの最適値の計算式は、αＨ＝90°−（βia’＋Ｈ）／２、式の中に、Ｈ＝βca’とする。(d)は冬の太陽高度角Ｈ＞βca’または冬と夏の太陽高度角Ｈ≦βca’に用いる。室内地面より1.8m以下の昇降用スラット2は、その上表面の外側部分Ｓ41に回復反射歯付き、回復反射歯の第二歯面5と水平面の夾角αＨの最適値の計算式は、αＨ＝90°−（βif＋Ｈ）／２、式の中に、Ｈ＝βcf、幅Ｌ1＝2Ｌ/3、その内側部分Ｓ42に順歯付き、その順歯の第二歯面5と水平面の夾角αＨの最適値の計算式は、αＨ＝（βic’−Ｈ）／２、式の中に、Ｈ＝βca’、幅Ｌ2＝Ｌ/3とする。それによって、太陽高度角βcf≦Ｈ≦βca’の場合、反射光線がその前のスラットの下表面までに偏向できなくて、しかも偏向導入した光線とスラットの内側水平面の夾角と50°以上を維持して、回転できる2枚組合型昇降式スラットの、室内地面より1.8m以下の昇降用スラット2の上表面外側部分Ｓ41が回復反射歯付き、その回復反射歯の第二歯面5と水平面の夾角αＨの最適値の計算式は、αＨ＝90°−（βia’＋Ｈ）／２、式の中に、Ｈ＝βca’、幅Ｌ1＝2Ｌ/3、その内側部分の第二歯面5と水平面の夾角αＨの最適値の選取は、主スラット1をスラットの回転軸（幅方向の中点に沿って）の逆時計方向に一つの角度
（外５）
2013525641.tif 000091
に回転して、再度αＨ＝（βic’-Ｈ）／２で計算して、式の中に、Ｈ＝βcf、幅Ｌ2＝Ｌ/3とする。(e)と（f）は、（b）の別の選択案である。(e)昇降用スラット2の上表面Ｓ31、Ｓ32が平滑面である。(f)昇降用スラット2の上表面Ｓ31が回復反射歯付き、Ｓ32が平滑面である。図10に相応して、図11〜図14は、何種類のスラットの横断面の形状及びそれぞれの太陽高度角の区域に対応するスラットの表面マイクロギヤー歯の構造を示した。その中の図11に示したスラットは、つりあいV形スラットであり、図12に示したスラットは、アーチ形スラットであり、図13に示したスラットは、波浪形スラットであり、図14に示したスラットは、γ１とγ２と等しくないV形スラット（γ１とγ２がスラットの外側、内側板と水平面の夾角で、逆時計方向の回りがプラスとし、時計方向の回りがマイナスとする。図11による）、図の中に（a）、（b）、（c）、（d）のスラットの効果は、図10のフラットパネル形スラットと同じである。図15は、アーチ形スラットのストリングハイトhと弦長Lの比例及びアーチ形ラインにある任意の点iの接線と水平面の夾角θiの定義を示した。図16は、波浪形スラットの二つのアーチ形のストリングハイトの和hと弦長Ｌの比例及びアーチ形ラインにある任意の点iの接線と水平面の夾角θiの定義を示した。以上の図からも分かるように、この点iを通っている半径Rとアーチ形円心を通っている垂直線の夾角がθiに等しい。この垂直線を極軸とし、θiの逆時計方向をプラスとし、時計方向をマイナスとする。
図9（b）によって、日よけ用スラット4の反射光面に配置した回復反射歯の第二歯面5と水平面の夾角αＨの値は、45°を取る。
【００２８】
図14は、２枚組合型昇降式V形スラット（γ１=-8°、γ2=0）と（γ１=0、γ2=7°）の横断面の形状とその上表面に分布したマイクロギヤータイプを示した。その中にV形主スラット1の外側部分Ｓ11と水平面の夾角あがγ１とし、V形主スラット1の内側部分Ｓ12と水平面の夾角がγ2とし、その中に2枚組合型昇降式V形スラット（γ１=-8°、γ2=0）は、室内地面より1.8m以上の場合に応用されて、2枚組合型昇降式V形スラット（γ１=0、γ2=7°）は、室内地面より1.8m以下（それが夏と冬の異なる太陽高度角Hの光線回復反射と偏向導入の状況と図17a〜図17dに示した主スラットがつりあいV形2枚組合型昇降式スラットのスラット式日よけ、光線導入システム的上下部分の情況と同じであるので、示されていない）の情況に応用される。これは、異なる形状のスラットでスラット式日よけ、光線導入システムの上下の２部分を組合できることを表している。
【００２９】
図17a〜図17dでは、主スラットがつりあいV形である2枚組合型昇降式スラットは、スラット式日よけ、光線導入システムの上下部分、夏と冬に異なる太陽高度角Hの光線回復反射と偏向導入の情況に応用されることを示した。(主スラットがつりあいフラットパネル形、アーチ形と波浪形の2枚組合型昇降式スラットは、スラット式日よけ、光線導入システムの上下部分、夏と冬に異なる太陽高度角Hの光線回復反射と偏向導入の情況に応用されることに同じ結果があるので、示していない。)図18a〜図18bでは、主スラットが折り畳みできる2枚組合型昇降式つりあいV形スラットは、スラット式日よけ、光線導入システムの上下部分、太陽高度角H=20°の時、室内地面より1.8m以上と以下の光線回復反射と偏向導入の情況への応用を示した。図19a〜図19bでは、日よけ機構付き2枚組合型昇降式フラットパネル形スラットは、スラット式日よけ、光線導入システムの上下部分、太陽高度角H=20°の時、室内地面より1.8m以上と以下の光線回復反射と偏向導入の情況への応用を示した。(その他の太陽高度角Hの光線回復反射と偏向導入の情況を示していなくて、またアーチ形スラットに同じ結果があるので、示していない。)図20a〜図20bでは、回転できる2枚組合型つりあいV形スラットは、スラット式日よけ、光線導入システムの上下部分が太陽高度角H=20°の時、室内地面より1.8m以上と以下の光線回復反射と偏向導入の情況への応用を示した。（その他の太陽高度角Hの光線回復反射と偏向導入の情況を示していなくて、またフラットパネル形スラットとアーチ形スラットに同じ結果があるので、示していない。)上記の図の中には、点線が直射日光を表して、それに対応した実線がスラットに回復反射されたり、偏向反射される光線を表して、Hが太陽高度角である。図の中にa（つまり図17a、図18a、図19a、図20a）は、室内地面より1.8m以上の組合式スラットが夏に異なる太陽高度角Hの光線回復反射と偏向導入の情況である。図の中にb（つまり図17b、図18b、図19b、図20b）は、室内地面より1.8m以下の組合式スラットが夏に異なる太陽高度角Hの光線回復反射と偏向導入の情況である。図の中にc（つまり図17c）は、室内地面より1.8m以上の組合式スラットが冬に異なる太陽高度角Hの光線回復反射と偏向導入の情況である。図の中にd（つまり図17d）は、室内地面より1.8m以下の組合式スラットが冬に異なる太陽高度角Hの光線回復反射と偏向導入の情況である。図の中から分かるように、上記の横断面が任意の形状である2枚組合型昇降式スラットより構成する各種のスラット式日よけ、光線導入システムは、みな季節の変換と人々の具体的な需要によって直射日光の回復反射と偏向導入量の最適化制御に達することができ、その同時にとても高い透視率を維持できるので、人々が窓外景色との視覚交流の需要を満足でき、太陽高度角Ｈ≦βca’(βca’=33°〜３５°)の直射日光に対しても、とても高い透視率（少なくとも50%以上に達する）を維持できる場合、直射日光の回復反射と偏向導入量を制御できる。従来のスラット式日よけ、光線導入システムと比べると、一日中、スラットシステムの操作回数は、ただ2度だけあって、太陽高度角の変化に適応するために伝統的なスラットを絶えず回転させる必要がある煩いを取り除いた。図の中で発見できるように、室内地面より1.8m���下の、回転できない2枚組合式スラットは、冬の太陽高度角がＨ≧βca’の時、少ない一部の直射日光がその前の隣り合っているスラットの内端点c’の近く（スラットの内端点cから水平距離L/4範囲内まで）の下表面に偏向され、スラットの下表面を経て、再度下向け偏向されることによるグレアを発生するので、このグレアを取り消すためにスエードまたは上塗りの方法で、スラットの下表面を光反射しない表面に処理したり。
【００３０】
図17の中で、2枚組合式スラットより構成したスラット式日よけ、光線導入システムが太陽高度角Ｈ≦βca’の時、昇降用スラット2が二つの主スラット1の中央位置にあることによって、直射日光が昇降用スラット2の下表面に反射されることがあるので、その最適化の改善措置は、2枚組合式スラットの中に再び昇降用スラット3を添加して、それによって3枚組合式スラットを構成することである。（当実施例は、横断面が一字形のものを採用して、その上に分布したマイクロギヤータイプが図10による。）図21の中で図10中のフラットパネル形スラットより構成する3枚組合式スラットが低太陽高度角Hの時、光線回復反射と偏向導入の情況を展示した。その中に（a）と（b）は室内地面より1.8m以上の部分のスラットが低太陽高度角Hの光線に対する回復反射と偏向導入の情況である。両者の区別は、（a）の中に昇降用スラット2と3は、一部の直射日光を室外までに回復反射して、もう一部の直射日光を室内までに偏向導入（外側部分Ｓ31とＳ51に回復反射歯が設置しており、その第二歯面5と水平面の夾角αＨの最適値の計算式がαＨ＝９０°-（βif＋Ｈ）／２、式の中で、Ｈ＝βcf、幅Ｌ1＝Ｌ/3、内側部分Ｓ32とＳ52が平滑面とする。）することにあるが、（b）の中に昇降用スラット2と3は、ほとんど全部の直射日光を室内までに偏向導入する。（c）は室内地面より1.8m以下の部分のスラットが低太陽高度角Hの光線回復反射と偏向導入の情況である。図から分かるように、2枚組合式スラットに現れる冬と夏の太陽高度角20°≦Ｈ≦βca’の時の直射日光が昇降用スラット2の下表面に反射される現象は克服された。図20(a)の中で、室内地面より1.8m以上に応用する回転できる2枚組合式つりあいV形スラットが低太陽高度角Ｈ＝βcfと冬の高太陽高度角H=45°の時、偏向導入した直射日光がその前のスラットの下表面に反射されることを現れる。これは、昇降用スラット2の表面が平滑面（γ１=-5°、γ2=5°）であることによって引起したわけてある。その改善措置の一つは、外側部分を上へ高く持ち上げ、つまりγ１の角度値はすこし小さくなって、内側部分を下へ低く抑えて、つまりγ2の角度値は少し小さくなる。その改善措置の二つは、昇降用スラット2にグレアを発生する箇所にマイクロギヤーを配置する。
【００３１】
図23では、横断面がフラットパネル形鋸歯のスラットとその上に分布した鋸歯のタイプを示した。その中に図23aは、夏の太陽高度角Ｈ＞βca’に応用する時、室内地面より1.8m以上と以下のスラットである。図23bでは、冬の太陽高度Ｈ＞βca’と冬と夏Ｈ≦βca’に応用する時、室内地面より1.8m以上のスラットである。図23cでは、冬の太陽高度角Ｈ＞βca’と冬と夏の太陽高度角Ｈ≦βca’に応用する時、室内地面より1.8m以下のスラットである。図22aと図22bでは、それぞれ2枚組合型フラットパネル形鋸歯式スラットが太陽高度角H=20°の時、室内地面より1.8m以上と以下の光線回復反射と偏向導入の情況（その他の太陽高度角Hの光線回復反射と偏向導入の情況を示していない。）を示した。以上からも分かるように、加工プロセスの角度から見ると、2枚組合型昇降式スラットは、一面にマイクロギヤーを付いて、別の一面が平滑面であるスラットに製造でき、直接に鋸歯形スラットも製造できる。
【００３２】
以上に述べたのは、本発明の最適化的に選択する実施方式だけである。当技術分野の普通な技術者にとっては、当発明の原理を脱離しない前提のもとで、まだ若干の改善と潤色をもすることができるが、これらの改善と潤色も、当発明の保護範囲と見なすことと指摘すべきである。
【手続補正２】
【補正対象書類名】特許請求の範囲
【補正対象項目名】全文
【補正方法】変更
【補正の内容】
【特許請求の範囲】
【請求項１】
一種類の多枚組合型昇降式スラットである。その特徴は、次のようになる。それには、主スラット（1）と昇降式スラット（2）を含んでおり、昇降式スラット（2）は、幅方向に沿う横断面の形状と主スラット（1）が幅方向に沿う横断面の形状が同じである。昇降式スラット（1）は、主スラット（1）の上表面または下表面に緊密的に貼っており、昇降式スラット（2）は、昇降機関の駆動のもとで主スラット（1）にも従って一緒に昇降でき、主スラット（1）にも相応して昇降運動を行うことができる,述べたような主スラット（1）の上表面の部分または全部にマイクロギヤーを設置している,述べたような昇降式スラットの上表面の部分または全部にマイクロギヤーを設置している。
【請求項２】
請求項1に述べたような一種類の多枚組合型昇降式スラットは、その特徴が次のようになる。上記に述べたような昇降式スラット（2）に２枚があって、2枚の昇降式スラット（2、3）が順次に主スラット（1）の上表面または下表面に緊密に貼っている,述べたような昇降式スラットの上表面の部分または全部にマイクロギヤーを設置している。
【請求項３】
請求項1または2に述べたような一種類の多枚組合型昇降式スラットは、その特徴が次のようになる。上記に述べたような多枚組合型昇降式スラットに日よけ用スラット（4）も設置しており、日よけ用スラット（4）がスライドさせるように主スラット（1）の下表面に取り付けており、そして主スラット（1）の下表面に収まって、冬、夏の低太陽高度角の時、日よけ用スラット（4）が下向け展開されて、一部の直射日光を室外までに阻止したり回復反射することができる。
【請求項４】
請求項1または2に述べたような一種類の多枚組合型昇降式スラットは、その特徴が次のようになる。上記に述べたような主スラット（1）は、幅方向に沿う横断面がV形または一字形またはアーチ形または波浪形とする。
【請求項５】
請求項1または2に述べたような一種類の多枚組合型昇降式スラットは、その特徴が次のようになる。上記に述べたような主スラット（1）と昇降式スラットは、みな回転できるスラットとする。
【請求項６】
請求項1または2に述べたような一種類の多枚組合型昇降式スラットは、その特徴が次のようになる。上記に述べたような主スラット（1）は、折り畳み式スラットとする。
【請求項７】
請求項1または2に述べたような一種類の多枚組合型昇降式スラットは、その特徴が次のようになる。上記に述べたような主スラット（1）は、鋸歯形スラットとする。
【請求項８】
請求項1または2に述べたような一種類の多枚組合型昇降式スラットは、その特徴が次のようになる。上記に述べたようなマイクロギヤーが回復反射歯とし、互いに垂直の二つの隣り合っている第一歯面（6）と第二歯面（5）を含んでおり、直射日光に対して回復反射の効果を起きる回復反射歯の第二歯面（5）と水平面の夾角αＨとの変化範囲は、90°−（βia’＋Ｈ）／2≦αＨ≦90°−（βia＋Ｈ）／2で確定できて、その中にHは太陽高度角とし、βia’はスラットの上表面にある任意の点iとその前の隣り合っているスラットの下表面の外端点（a’）の接続線とスラットの外側水平面の夾角とし、βiaはスラットの上表面にある任意の点（i）とスラットの上表面の外端点（a）の接続線とスラットの外側水平面の夾角とする。
【請求項９】
請求項1または2に述べたような一種類の多枚組合型昇降式スラットは、その特徴が次のようになる。上記に述べたようなマイクロギヤーは順歯または逆歯とし、互いに垂直の二つの隣り合っている第一歯面（6）と第二歯面（5）を含んでおり、直射日光に対して偏向導入の効果を起きたる順歯または逆歯の第二歯面（5）と水平面の夾角αＨの変化範囲は、（βic−Ｈ）／2≦αＨ≦（βic’−Ｈ）／2で確定できて、その中にHは太陽高度角とし、βicはスラットの上表面にある任意の点(i)とスラットの上表面の内端点(c)の接続線とスラットの内側水平面の夾角とし、βic’はスラットの上表面にある任意の点(i)とその前の隣り合っているスラットの下表面の内端点(c’)の接続線とスラットの内側水平面の夾角とする。
【手続補正３】
【補正対象書類名】図面
【補正対象項目名】図２５
【補正方法】削除
【補正の内容】
【手続補正４】
【補正対象書類名】図面
【補正対象項目名】図２６
【補正方法】削除
【補正の内容】
【手続補正５】
【補正対象書類名】図面
【補正対象項目名】図２７
【補正方法】削除
【補正の内容】
【手続補正６】
【補正対象書類名】図面
【補正対象項目名】図２８
【補正方法】削除
【補正の内容】
【手続補正７】
【補正対象書類名】図面
【補正対象項目名】図２９
【補正方法】削除
【補正の内容】
【手続補正８】
【補正対象書類名】図面
【補正対象項目名】図３０
【補正方法】削除
【補正の内容】
【手続補正９】
【補正対象書類名】図面
【補正対象項目名】図３１
【補正方法】削除
【補正の内容】
【手続補正１０】
【補正対象書類名】図面
【補正対象項目名】図３２
【補正方法】削除
【補正の内容】
【手続補正１１】
【補正対象書類名】図面
【補正対象項目名】図３３
【補正方法】削除
【補正の内容】
【手続補正１２】
【補正対象書類名】図面
【補正対象項目名】図３４
【補正方法】削除
【補正の内容】
【手続補正１３】
【補正対象書類名】図面
【補正対象項目名】図３５
【補正方法】削除
【補正の内容】
【手続補正１４】
【補正対象書類名】図面
【補正対象項目名】図３６
【補正方法】削除
【補正の内容】
【手続補正１５】
【補正対象書類名】図面
【補正対象項目名】図３７
【補正方法】削除
【補正の内容】
【手続補正１６】
【補正対象書類名】図面
【補正対象項目名】図３８
【補正方法】削除
【補正の内容】
【国際調査報告】
2013525641.tif 000092
2013525641.tif 000093
2013525641.tif 000094
2013525641.tif 000095